(57)【特許請求の範囲】
【請求項１】
無線通信のための方法であって、
アップリンク制御情報（ＵＣＩ）を決定することと、
スペクトルリソースパラメータに基づいて、複数のレイヤの各々についての前記ＵＣＩに関するシンボルの数を決定することと、
前記ＵＣＩに関する前記シンボルの数を前記決定することは、下記数式１及び数式２のいずれかに基づく、
数式１
【数１】
0005559423.tif 000079
に基づいて、前記複数のレイヤの各々についての前記ＵＣＩに関する前記シンボルの数を決定することを含み、
ここで、
【数２】
0005559423.tif 000080
は、前記複数のレイヤの各々についての前記ＵＣＩに関するシンボルの数を表し、
【数３】
0005559423.tif 000081
は、ハイブリッド自動再送要求（ＨＡＲＱ）データ肯定応答（ＡＣＫ）ビットの数、またはランクインジケータ（ＲＩ;rank indicator）ビットの数を表し、
【数４】
0005559423.tif 000082
は、より高いレイヤにより構成されるオフセットを表し、
【数５】
0005559423.tif 000083
は、トランスポートブロック（ＴＢ）ｘに関するコードブロックの数を表し、
【数６】
0005559423.tif 000084
は、前記トランスポートブロック（ＴＢ）ｘにおけるコードブロックｒに関するビットの数を表し、
【数７】
0005559423.tif 000085
は、トランスポートブロックのために初期にスケジュールされた帯域幅を表し、サブキャリアの数として表され、
【数８】
0005559423.tif 000086
は、サブキャリアの単位において、現在の物理アップリンク共有チャネル（ＰＵＳＣＨ）のためにスケジュールされた帯域幅を表し、
【数９】
0005559423.tif 000087
は、初期のＰＵＳＣＨ送信に関するサブフレームにおけるシングルキャリア周波数分割多重化（ＳＣ−ＦＤＭ）シンボルの数を表す、あるいは、
数式２
【数１０】
0005559423.tif 000088
に基づいて、前記複数のレイヤの各々についての前記ＵＣＩに関する前記シンボルの数を決定することを含み、
ここで、
【数１１】
0005559423.tif 000089
は、前記複数のレイヤの各々についての前記ＵＣＩに関するシンボルの数を表し、
【数１２】
0005559423.tif 000090
は、ハイブリッド自動再送要求（ＨＡＲＱ）データ肯定応答（ＡＣＫ）ビットの数、またはランクインジケータ（ＲＩ）ビットの数を表し、
【数１３】
0005559423.tif 000091
は、より高いレイヤにより構成されるオフセットを表し、
【数１４】
0005559423.tif 000092
は、トランスポートブロック（ＴＢ）ｘに関するコードブロックの数を表し、
【数１５】
0005559423.tif 000093
は、前記トランスポートブロック（ＴＢ）ｘにおけるコードブロックｒに関するビットの数を表し、
【数１６】
0005559423.tif 000094
は、前記トランスポートブロック（ＴＢ）ｘのために初期にスケジュールされた帯域幅を表し、サブキャリアの数として表され、
【数１７】
0005559423.tif 000095
は、サブキャリアの単位において、現在の物理アップリンク共有チャネル（ＰＵＳＣＨ）のためにスケジュールされた帯域幅を表し、
【数１８】
0005559423.tif 000096
は、初期のＰＵＳＣＨ送信に関するサブフレームにおけるシングルキャリア周波数分割多重化（ＳＣ−ＦＤＭ）シンボルの数を表し、
ここで、Ａ０およびＡ１は、
【数１９】
0005559423.tif 000097
となるようにセットされる、
前記ＵＣＩに関する前記シンボルが前記複数のレイヤの各々にわたって時間的に揃えられるように、前記複数のレイヤの各々でデータと前記ＵＣＩに関するシンボルを多重化することと、
アップリンク上の前記複数のレイヤで前記データと前記ＵＣＩに関する前記多重化されたシンボルを送ることと、
を具備する方法。
【請求項２】
前記複数のレイヤの各々でデータと前記ＵＣＩに関する前記シンボルを前記多重化することは、
前記複数のレイヤの各々で、前記ＵＣＩに関する前記シンボルを、前記データに関する変調シンボルと時分割多重化することと、
各シンボル期間において、前記複数のレイヤの各々のために、前記ＵＣＩおよびデータに関する前記多重化された変調シンボルに対して、離散フーリエ変換（ＤＦＴ）を実行することと、
を含む、請求項１に記載の方法。
【請求項３】
各シンボル期間は、シングルキャリア周波数分割多重化（ＳＣ−ＦＤＭ）／直交周波数分割多重化（ＯＦＤＭ）のシンボル期間を含む、請求項２に記載の方法。
【請求項４】
前記複数のレイヤの各々でデータと前記ＵＣＩに関する前記シンボルを前記多重化することは、前記ＵＣＩに関する前記シンボルを、各シンボル期間における前記複数のレイヤの各々上の少なくとも１つのシンボル位置の同じセットにマッピングすることを含む、請求項１に記載の方法。
【請求項５】
前記スペクトルリソースパラメータは、ユーザ機器（ＵＥ）と基地局との間の多入力多出力（ＭＩＭＯ）チャネルのスペクトル効率を含む、請求項１に記載の方法。
【請求項６】
前記スペクトルリソースパラメータは、前記複数のレイヤのすべてにわたる集約スペクトル効率を含む、請求項１に記載の方法。
【請求項７】
前記スペクトルリソースパラメータに基づいて、前記複数のレイヤの各々についての前記ＵＣＩに関する前記シンボルの数を前記決定することは、
第１のスペクトルリソースパラメータを、第１のトランスポートブロックのために初期にスケジュールされたスペクトル割り当てに基づいて計算することと、
第２のスペクトルリソースパラメータを、第２のトランスポートブロックのために初期にスケジュールされたスペクトル割り当てに基づいて計算することと、
前記第１および前記第２のスペクトルリソースパラメータを使用して、前記複数のレイヤの各々についての前記ＵＣＩに関する前記シンボル数を決定することと、
を含む、請求項１に記載の方法。
【請求項８】
前記ＵＣＩに関する前記シンボルは、符号化された変調シンボルを含む、請求項７に記載の方法。
【請求項９】
前記ＵＣＩは、チャネル品質インジケータ（ＣＱＩ）、肯定応答（ＡＣＫ）、ランクインジケータ（ＲＩ）およびこれらの組み合わせ、のうちの１つを含む、請求項１に記載の方法。
【請求項１０】
前記複数のレイヤは、すべてのコードワードと関連づけられるすべてのレイヤを含む、請求項１に記載の方法。
【請求項１１】
前記複数のレイヤは、すべてのコードワードのサブセットと関連づけられるすべてのレイヤを含み、ここにおいて、前記サブセットは、前記すべてのコードワードのうちの少なくとも１つを除外する、請求項１に記載の方法。
【請求項１２】
無線通信のための装置であって、
アップリンク制御情報（ＵＣＩ）を決定するための手段と、
スペクトルリソースパラメータに基づいて、複数のレイヤの各々についての前記ＵＣＩに関するシンボルの数を決定するための手段と、
前記ＵＣＩに関する前記シンボルの数を前記決定することは、下記数式３及び数式４のいずれかに基づく、
数式３
【数２０】
0005559423.tif 000098
に基づいて、前記複数のレイヤの各々についての前記ＵＣＩに関する前記シンボルの数を決定することを含み、
ここで、
【数２１】
0005559423.tif 000099
は、前記複数のレイヤの各々についての前記ＵＣＩに関するシンボルの数を表し、
【数２２】
0005559423.tif 000100
は、ハイブリッド自動再送要求（ＨＡＲＱ）データ肯定応答（ＡＣＫ）ビットの数、またはランクインジケータ（ＲＩ;rank indicator）ビットの数を表し、
【数２３】
0005559423.tif 000101
は、より高いレイヤにより構成されるオフセットを表し、
【数２４】
0005559423.tif 000102
は、トランスポートブロック（ＴＢ）ｘに関するコードブロックの数を表し、
【数２５】
0005559423.tif 000103
は、前記トランスポートブロック（ＴＢ）ｘにおけるコードブロックｒに関するビットの数を表し、
【数２６】
0005559423.tif 000104
は、トランスポートブロックのために初期にスケジュールされた帯域幅を表し、サブキャリアの数として表され、
【数２７】
0005559423.tif 000105
は、サブキャリアの単位において、現在の物理アップリンク共有チャネル（ＰＵＳＣＨ）のためにスケジュールされた帯域幅を表し、
【数２８】
0005559423.tif 000106
は、初期のＰＵＳＣＨ送信に関するサブフレームにおけるシングルキャリア周波数分割多重化（ＳＣ−ＦＤＭ）シンボルの数を表す、あるいは、
数式４
【数２９】
0005559423.tif 000107
に基づいて、前記複数のレイヤの各々についての前記ＵＣＩに関する前記シンボルの数を決定することを含み、
ここで、
【数３０】
0005559423.tif 000108
は、前記複数のレイヤの各々についての前記ＵＣＩに関するシンボルの数を表し、
【数３１】
0005559423.tif 000109
は、ハイブリッド自動再送要求（ＨＡＲＱ）データ肯定応答（ＡＣＫ）ビットの数、またはランクインジケータ（ＲＩ）ビットの数を表し、
【数３２】
0005559423.tif 000110
は、より高いレイヤにより構成されるオフセットを表し、
【数３３】
0005559423.tif 000111
は、トランスポートブロック（ＴＢ）ｘに関するコードブロックの数を表し、
【数３４】
0005559423.tif 000112
は、前記トランスポートブロック（ＴＢ）ｘにおけるコードブロックｒに関するビットの数を表し、
【数３５】
0005559423.tif 000113
は、前記トランスポートブロック（ＴＢ）ｘのために初期にスケジュールされた帯域幅を表し、サブキャリアの数として表され、
【数３６】
0005559423.tif 000114
は、サブキャリアの単位において、現在の物理アップリンク共有チャネル（ＰＵＳＣＨ）のためにスケジュールされた帯域幅を表し、
【数３７】
0005559423.tif 000115
は、初期のＰＵＳＣＨ送信に関するサブフレームにおけるシングルキャリア周波数分割多重化（ＳＣ−ＦＤＭ）シンボルの数を表し、
ここで、Ａ０およびＡ１は、
【数３８】
0005559423.tif 000116
となるようにセットされる、
前記ＵＣＩに関する前記シンボルが前記複数のレイヤの各々にわたって時間的に揃えられるように、前記複数のレイヤの各々でデータと前記ＵＣＩに関するシンボルを多重化するための手段と、
アップリンク上の前記複数のレイヤで前記データと前記ＵＣＩに関する前記多重化されたシンボルを送るための手段と、
を具備する装置。
【請求項１３】
前記複数のレイヤの各々でデータと前記ＵＣＩに関する前記シンボルを前記多重化するための手段は、
前記複数のレイヤの各々で、前記ＵＣＩに関する前記シンボルを、前記データに関する変調シンボルと時分割多重化するための手段と、
各シンボル期間において、前記複数のレイヤの各々のために、前記ＵＣＩおよびデータに関する前記多重化された変調シンボルに対して、離散フーリエ変換（ＤＦＴ）を実行するための手段と、
を含む、請求項１２に記載の装置。
【請求項１４】
各シンボル期間は、シングルキャリア周波数分割多重化（ＳＣ−ＦＤＭ）／直交周波数分割多重化（ＯＦＤＭ）のシンボル期間を含む、請求項１３に記載の装置。
【請求項１５】
前記複数のレイヤの各々でデータと前記ＵＣＩに関する前記シンボルを前記多重化するための手段は、前記ＵＣＩに関する前記シンボルを、各シンボル期間における前記複数のレイヤの各々上の少なくとも１つのシンボル位置の同じセットにマッピングするための手段を含む、請求項１２に記載の装置。
【請求項１６】
前記スペクトルリソースパラメータは、ユーザ機器（ＵＥ）と基地局との間の多入力多出力（ＭＩＭＯ）チャネルのスペクトル効率を含む、請求項１２に記載の装置。
【請求項１７】
前記スペクトルリソースパラメータは、前記複数のレイヤのすべてにわたる集約スペクトル効率を含む、請求項１２に記載の装置。
【請求項１８】
前記スペクトルリソースパラメータに基づいて、前記複数のレイヤの各々についての前記ＵＣＩに関する前記シンボルの数を前記決定するための手段は、
第１のスペクトルリソースパラメータを、第１のトランスポートブロックのために初期にスケジュールされたスペクトル割り当てに基づいて計算するための手段と、
第２のスペクトルリソースパラメータを、第２のトランスポートブロックのために初期にスケジュールされたスペクトル割り当てに基づいて計算するための手段と、
前記第１および前記第２のスペクトルリソースパラメータを使用して、前記複数のレイヤの各々についての前記ＵＣＩに関する前記シンボル数を決定するための手段と、
を含む、請求項１２に記載の装置。
【請求項１９】
前記ＵＣＩに関する前記シンボルは、符号化された変調シンボルを含む、請求項１８に記載の装置。
【請求項２０】
前記ＵＣＩは、チャネル品質インジケータ（ＣＱＩ）、肯定応答（ＡＣＫ）、ランクインジケータ（ＲＩ）およびこれらの組み合わせ、のうちの１つを含む、請求項１２に記載の装置。
【請求項２１】
前記複数のレイヤは、すべてのコードワードと関連づけられるすべてのレイヤを含む、請求項１２に記載の装置。
【請求項２２】
前記複数のレイヤは、すべてのコードワードのサブセットと関連づけられるすべてのレイヤを含み、ここにおいて、前記サブセットは、前記すべてのコードワードのうちの少なくとも１つを除外する、請求項１２に記載の装置。
【請求項２３】
無線通信のための装置であって、
アップリンク制御情報（ＵＣＩ）を決定し、
スペクトルリソースパラメータに基づいて、複数のレイヤの各々についての前記ＵＣＩに関するシンボルの数を決定し、
前記ＵＣＩに関する前記シンボルの数を前記決定することは、下記数式５及び数式６のいずれかに基づく、
数式５
【数３９】
0005559423.tif 000117
に基づいて、前記複数のレイヤの各々についての前記ＵＣＩに関する前記シンボルの数を決定することを含み、
ここで、
【数４０】
0005559423.tif 000118
は、前記複数のレイヤの各々についての前記ＵＣＩに関するシンボルの数を表し、
【数４１】
0005559423.tif 000119
は、ハイブリッド自動再送要求（ＨＡＲＱ）データ肯定応答（ＡＣＫ）ビットの数、またはランクインジケータ（ＲＩ;rank indicator）ビットの数を表し、
【数４２】
0005559423.tif 000120
は、より高いレイヤにより構成されるオフセットを表し、
【数４３】
0005559423.tif 000121
は、トランスポートブロック（ＴＢ）ｘに関するコードブロックの数を表し、
【数４４】
0005559423.tif 000122
は、前記トランスポートブロック（ＴＢ）ｘにおけるコードブロックｒに関するビットの数を表し、
【数４５】
0005559423.tif 000123
は、トランスポートブロックのために初期にスケジュールされた帯域幅を表し、サブキャリアの数として表され、
【数４６】
0005559423.tif 000124
は、サブキャリアの単位において、現在の物理アップリンク共有チャネル（ＰＵＳＣＨ）のためにスケジュールされた帯域幅を表し、
【数４７】
0005559423.tif 000125
は、初期のＰＵＳＣＨ送信に関するサブフレームにおけるシングルキャリア周波数分割多重化（ＳＣ−ＦＤＭ）シンボルの数を表す、あるいは、
数式６
【数４８】
0005559423.tif 000126
に基づいて、前記複数のレイヤの各々についての前記ＵＣＩに関する前記シンボルの数を決定することを含み、
ここで、
【数４９】
0005559423.tif 000127
は、前記複数のレイヤの各々についての前記ＵＣＩに関するシンボルの数を表し、
【数５０】
0005559423.tif 000128
は、ハイブリッド自動再送要求（ＨＡＲＱ）データ肯定応答（ＡＣＫ）ビットの数、またはランクインジケータ（ＲＩ）ビットの数を表し、
【数５１】
0005559423.tif 000129
は、より高いレイヤにより構成されるオフセットを表し、
【数５２】
0005559423.tif 000130
は、トランスポートブロック（ＴＢ）ｘに関するコードブロックの数を表し、
【数５３】
0005559423.tif 000131
は、前記トランスポートブロック（ＴＢ）ｘにおけるコードブロックｒに関するビットの数を表し、
【数５４】
0005559423.tif 000132
は、前記トランスポートブロック（ＴＢ）ｘのために初期にスケジュールされた帯域幅を表し、サブキャリアの数として表され、
【数５５】
0005559423.tif 000133
は、サブキャリアの単位において、現在の物理アップリンク共有チャネル（ＰＵＳＣＨ）のためにスケジュールされた帯域幅を表し、
【数５６】
0005559423.tif 000134
は、初期のＰＵＳＣＨ送信に関するサブフレームにおけるシングルキャリア周波数分割多重化（ＳＣ−ＦＤＭ）シンボルの数を表し、
ここで、Ａ０およびＡ１は、
【数５７】
0005559423.tif 000135
となるようにセットされる、
前記ＵＣＩに関する前記シンボルが前記複数のレイヤの各々にわたって時間的に揃えられるように、前記複数のレイヤの各々でデータと前記ＵＣＩに関するシンボルを多重化し、
アップリンク上の前記複数のレイヤで前記データと前記ＵＣＩに関する前記多重化されたシンボルを送る、
ように構成された少なくとも１つのプロセッサと、
前記少なくとも１つのプロセッサに結合されたメモリと、
を備える装置。
【請求項２４】
前記スペクトルリソースパラメータは、ユーザ機器（ＵＥ）と基地局との間の多入力多出力（ＭＩＭＯ）チャネルのスペクトル効率を含む、請求項２３に記載の装置。
【請求項２５】
前記スペクトルリソースパラメータは、前記複数のレイヤのすべてにわたる集約スペクトル効率を含む、請求項２３に記載の装置。
【請求項２６】
前記少なくとも１つのプロセッサは、
第１のスペクトルリソースパラメータを、第１のトランスポートブロックのために初期にスケジュールされたスペクトル割り当てに基づいて計算し、
第２のスペクトルリソースパラメータを、第２のトランスポートブロックのために初期にスケジュールされたスペクトル割り当てに基づいて計算し、
前記第１および前記第２のスペクトルリソースパラメータを使用して、前記複数のレイヤの各々についての前記ＵＣＩに関する前記シンボル数を決定する、
ようにさらに構成される、請求項２３に記載の装置。
【請求項２７】
前記ＵＣＩに関する前記シンボルは、符号化された変調シンボルを含む、請求項２６に記載の装置。
【請求項２８】
前記ＵＣＩは、チャネル品質インジケータ（ＣＱＩ）、肯定応答（ＡＣＫ）、ランクインジケータ（ＲＩ）およびこれらの組み合わせ、のうちの１つを含む、請求項２３に記載の装置。
【請求項２９】
コンピュータプログラムを記録したコンピュータ読取可能記憶媒体であって、
前記コンピュータ読取可能記憶媒体は、
少なくとも１つのコンピュータに、アップリンク制御情報（ＵＣＩ）を決定させるための命令と、
前記少なくとも１つのコンピュータに、スペクトルリソースパラメータに基づいて、複数のレイヤの各々についての前記ＵＣＩに関するシンボルの数を決定させるための命令と、
前記ＵＣＩに関する前記シンボルの数を前記決定することは、下記数式７及び数式８のいずれかに基づく、
数式７
【数５８】
0005559423.tif 000136
に基づいて、前記複数のレイヤの各々についての前記ＵＣＩに関する前記シンボルの数を決定することを含み、
ここで、
【数５９】
0005559423.tif 000137
は、前記複数のレイヤの各々についての前記ＵＣＩに関するシンボルの数を表し、
【数６０】
0005559423.tif 000138
は、ハイブリッド自動再送要求（ＨＡＲＱ）データ肯定応答（ＡＣＫ）ビットの数、またはランクインジケータ（ＲＩ;rank indicator）ビットの数を表し、
【数６１】
0005559423.tif 000139
は、より高いレイヤにより構成されるオフセットを表し、
【数６２】
0005559423.tif 000140
は、トランスポートブロック（ＴＢ）ｘに関するコードブロックの数を表し、
【数６３】
0005559423.tif 000141
は、前記トランスポートブロック（ＴＢ）ｘにおけるコードブロックｒに関するビットの数を表し、
【数６４】
0005559423.tif 000142
は、トランスポートブロックのために初期にスケジュールされた帯域幅を表し、サブキャリアの数として表され、
【数６５】
0005559423.tif 000143
は、サブキャリアの単位において、現在の物理アップリンク共有チャネル（ＰＵＳＣＨ）のためにスケジュールされた帯域幅を表し、
【数６６】
0005559423.tif 000144
は、初期のＰＵＳＣＨ送信に関するサブフレームにおけるシングルキャリア周波数分割多重化（ＳＣ−ＦＤＭ）シンボルの数を表す、あるいは、
数式８
【数６７】
0005559423.tif 000145
に基づいて、前記複数のレイヤの各々についての前記ＵＣＩに関する前記シンボルの数を決定することを含み、
ここで、
【数６８】
0005559423.tif 000146
は、前記複数のレイヤの各々についての前記ＵＣＩに関するシンボルの数を表し、
【数６９】
0005559423.tif 000147
は、ハイブリッド自動再送要求（ＨＡＲＱ）データ肯定応答（ＡＣＫ）ビットの数、またはランクインジケータ（ＲＩ）ビットの数を表し、
【数７０】
0005559423.tif 000148
は、より高いレイヤにより構成されるオフセットを表し、
【数７１】
0005559423.tif 000149
は、トランスポートブロック（ＴＢ）ｘに関するコードブロックの数を表し、
【数７２】
0005559423.tif 000150
は、前記トランスポートブロック（ＴＢ）ｘにおけるコードブロックｒに関するビットの数を表し、
【数７３】
0005559423.tif 000151
は、前記トランスポートブロック（ＴＢ）ｘのために初期にスケジュールされた帯域幅を表し、サブキャリアの数として表され、
【数７４】
0005559423.tif 000152
は、サブキャリアの単位において、現在の物理アップリンク共有チャネル（ＰＵＳＣＨ）のためにスケジュールされた帯域幅を表し、
【数７５】
0005559423.tif 000153
は、初期のＰＵＳＣＨ送信に関するサブフレームにおけるシングルキャリア周波数分割多重化（ＳＣ−ＦＤＭ）シンボルの数を表し、
ここで、Ａ０およびＡ１は、
【数７６】
0005559423.tif 000154
となるようにセットされる、
前記少なくとも１つのコンピュータに、前記ＵＣＩに関する前記シンボルが前記複数のレイヤの各々にわたって時間的に揃えられるように、前記複数のレイヤの各々でデータと前記ＵＣＩに関するシンボルを多重化させるための命令と、
前記少なくとも１つのコンピュータに、アップリンク上の前記複数のレイヤで前記データと前記ＵＣＩに関する前記多重化されたシンボルを送らせるための命令と、
を具備する、コンピュータプログラムを記録したコンピュータ読取可能記憶媒体。
【請求項３０】
前記少なくとも１つのコンピュータに、前記スペクトルリソースパラメータに基づいて、前記複数のレイヤの各々についての前記ＵＣＩに関する前記シンボルの数を決定させるための前記命令は、
前記少なくとも１つのコンピュータに、第１のスペクトルリソースパラメータを、第１のトランスポートブロックのために初期にスケジュールされたスペクトル割り当てに基づいて計算させるための命令と、
前記少なくとも１つのコンピュータに、第２のスペクトルリソースパラメータを、第２のトランスポートブロックのために初期にスケジュールされたスペクトル割り当てに基づいて計算させるための命令と、
前記少なくとも１つのコンピュータに、前記第１および前記第２のスペクトルリソースパラメータを使用して、前記複数のレイヤの各々についての前記ＵＣＩに関する前記シンボル数を決定させるための命令と、
を含む、請求項２９に記載のコンピュータプログラムを記録したコンピュータ読取可能記憶媒体。
【請求項３１】
前記ＵＣＩに関する前記シンボルは、符号化された変調シンボルを含む、請求項３０に記載のコンピュータプログラムを記録したコンピュータ読取可能記憶媒体。
【請求項３２】
前記ＵＣＩは、チャネル品質インジケータ（ＣＱＩ）、肯定応答（ＡＣＫ）、ランクインジケータ（ＲＩ）およびこれらの組み合わせ、のうちの１つを含む、請求項２９に記載のコンピュータプログラムを記録したコンピュータ読取可能記憶媒体。
【請求項３３】
無線通信のための方法であって、
アップリンク制御情報（ＵＣＩ）に関する符号化された変調シンボルが複数のレイヤの各々にわたって時間的に揃えられるように、データと多重化された前記ＵＣＩに関する前記符号化された変調シンボルの数を含み、かつユーザ機器（ＵＥ）によってアップリンク上の前記複数のレイヤで送られた送信を受信することと、なお、前記複数のレイヤの各々についての前記符号化された変調シンボルの前記数は、スペクトルリソースパラメータに基づき、
前記ＵＣＩに関する前記シンボルの数を前記決定することは、下記数式９及び数式１０のいずれかに基づく、
数式９
【数７７】
0005559423.tif 000155
に基づいて、前記複数のレイヤの各々についての前記ＵＣＩに関する前記シンボルの数を決定することを含み、
ここで、
【数７８】
0005559423.tif 000156
は、前記複数のレイヤの各々についての前記ＵＣＩに関するシンボルの数を表し、
【数７９】
0005559423.tif 000157
は、ハイブリッド自動再送要求（ＨＡＲＱ）データ肯定応答（ＡＣＫ）ビットの数、またはランクインジケータ（ＲＩ;rank indicator）ビットの数を表し、
【数８０】
0005559423.tif 000158
は、より高いレイヤにより構成されるオフセットを表し、
【数８１】
0005559423.tif 000159
は、トランスポートブロック（ＴＢ）ｘに関するコードブロックの数を表し、
【数８２】
0005559423.tif 000160
は、前記トランスポートブロック（ＴＢ）ｘにおけるコードブロックｒに関するビットの数を表し、
【数８３】
0005559423.tif 000161
は、トランスポートブロックのために初期にスケジュールされた帯域幅を表し、サブキャリアの数として表され、
【数８４】
0005559423.tif 000162
は、サブキャリアの単位において、現在の物理アップリンク共有チャネル（ＰＵＳＣＨ）のためにスケジュールされた帯域幅を表し、
【数８５】
0005559423.tif 000163
は、初期のＰＵＳＣＨ送信に関するサブフレームにおけるシングルキャリア周波数分割多重化（ＳＣ−ＦＤＭ）シンボルの数を表す、あるいは、
数式１０
【数８６】
0005559423.tif 000164
に基づいて、前記複数のレイヤの各々についての前記ＵＣＩに関する前記シンボルの数を決定することを含み、
ここで、
【数８７】
0005559423.tif 000165
は、前記複数のレイヤの各々についての前記ＵＣＩに関するシンボルの数を表し、
【数８８】
0005559423.tif 000166
は、ハイブリッド自動再送要求（ＨＡＲＱ）データ肯定応答（ＡＣＫ）ビットの数、またはランクインジケータ（ＲＩ）ビットの数を表し、
【数８９】
0005559423.tif 000167
は、より高いレイヤにより構成されるオフセットを表し、
【数９０】
0005559423.tif 000168
は、トランスポートブロック（ＴＢ）ｘに関するコードブロックの数を表し、
【数９１】
0005559423.tif 000169
は、前記トランスポートブロック（ＴＢ）ｘにおけるコードブロックｒに関するビットの数を表し、
【数９２】
0005559423.tif 000170
は、前記トランスポートブロック（ＴＢ）ｘのために初期にスケジュールされた帯域幅を表し、サブキャリアの数として表され、
【数９３】
0005559423.tif 000171
は、サブキャリアの単位において、現在の物理アップリンク共有チャネル（ＰＵＳＣＨ）のためにスケジュールされた帯域幅を表し、
【数９４】
0005559423.tif 000172
は、初期のＰＵＳＣＨ送信に関するサブフレームにおけるシングルキャリア周波数分割多重化（ＳＣ−ＦＤＭ）シンボルの数を表し、
ここで、Ａ０およびＡ１は、
【数９５】
0005559423.tif 000173
となるようにセットされる、
前記ＵＥによって送られた前記ＵＣＩとデータを回復するために、前記受信された送信を処理することと；
を具備する方法。
【請求項３４】
前記受信された送信を前記処理することは、
前記複数のレイヤの各々について、前記ＵＣＩおよびデータに関する多重化された変調シンボルを得るために、各シンボル期間において、前記受信された送信のための逆離散フーリエ変換（ＩＤＦＴ）を実行することと、
前記複数のレイヤの各々について、前記ＵＣＩに関する変調シンボルと前記データに関する変調シンボルを得るために、前記多重化された変調シンボルを時分割逆多重化することと、
を含む、請求項３３に記載の方法。
【請求項３５】
前記スペクトルリソースパラメータは、ユーザ機器（ＵＥ）と基地局との間の多入力多出力（ＭＩＭＯ）チャネルのスペクトル効率を含む、請求項３３に記載の方法。
【請求項３６】
前記スペクトルリソースパラメータは、前記複数のレイヤのすべてにわたる集約スペクトル効率を含む、請求項３３に記載の方法。
【請求項３７】
前記ＵＣＩは、チャネル品質インジケータ（ＣＱＩ）、肯定応答（ＡＣＫ）、ランクインジケータ（ＲＩ）およびこれらの組み合わせ、のうちの１つを含む、請求項３３に記載の方法。
【請求項３８】
前記複数のレイヤは、すべてのコードワードと関連づけられるすべてのレイヤを含む、請求項３３に記載の方法。
【請求項３９】
前記複数のレイヤは、すべてのコードワードのサブセットと関連づけられるすべてのレイヤを含み、ここにおいて、前記サブセットは、前記すべてのコードワードのうちの少なくとも１つを除外する、請求項３３に記載の方法。
【請求項４０】
無線通信のための装置であって、
データと多重化されたアップリンク制御情報（ＵＣＩ）に関する符号化された変調シンボルの数を含み、かつユーザ機器（ＵＥ）によってアップリンク上の複数のレイヤで送られた送信を受信するための手段と、ここにおいて、前記ＵＣＩに関する前記符号化された変調シンボルは、前記複数のレイヤの各々にわたって時間的に揃えられ、前記複数のレイヤの各々についての前記符号化された変調シンボルの前記数は、スペクトルリソースパラメータに基づき、
前記ＵＣＩに関する前記シンボルの数を前記決定することは、下記数式１１及び数式１２のいずれかに基づく、
数式１１
【数９６】
0005559423.tif 000174
に基づいて、前記複数のレイヤの各々についての前記ＵＣＩに関する前記シンボルの数を決定することを含み、
ここで、
【数９７】
0005559423.tif 000175
は、前記複数のレイヤの各々についての前記ＵＣＩに関するシンボルの数を表し、
【数９８】
0005559423.tif 000176
は、ハイブリッド自動再送要求（ＨＡＲＱ）データ肯定応答（ＡＣＫ）ビットの数、またはランクインジケータ（ＲＩ;rank indicator）ビットの数を表し、
【数９９】
0005559423.tif 000177
は、より高いレイヤにより構成されるオフセットを表し、
【数１００】
0005559423.tif 000178
は、トランスポートブロック（ＴＢ）ｘに関するコードブロックの数を表し、
【数１０１】
0005559423.tif 000179
は、前記トランスポートブロック（ＴＢ）ｘにおけるコードブロックｒに関するビットの数を表し、
【数１０２】
0005559423.tif 000180
は、トランスポートブロックのために初期にスケジュールされた帯域幅を表し、サブキャリアの数として表され、
【数１０３】
0005559423.tif 000181
は、サブキャリアの単位において、現在の物理アップリンク共有チャネル（ＰＵＳＣＨ）のためにスケジュールされた帯域幅を表し、
【数１０４】
0005559423.tif 000182
は、初期のＰＵＳＣＨ送信に関するサブフレームにおけるシングルキャリア周波数分割多重化（ＳＣ−ＦＤＭ）シンボルの数を表す、あるいは、
数式１２
【数１０５】
0005559423.tif 000183
に基づいて、前記複数のレイヤの各々についての前記ＵＣＩに関する前記シンボルの数を決定することを含み、
ここで、
【数１０６】
0005559423.tif 000184
は、前記複数のレイヤの各々についての前記ＵＣＩに関するシンボルの数を表し、
【数１０７】
0005559423.tif 000185
は、ハイブリッド自動再送要求（ＨＡＲＱ）データ肯定応答（ＡＣＫ）ビットの数、またはランクインジケータ（ＲＩ）ビットの数を表し、
【数１０８】
0005559423.tif 000186
は、より高いレイヤにより構成されるオフセットを表し、
【数１０９】
0005559423.tif 000187
は、トランスポートブロック（ＴＢ）ｘに関するコードブロックの数を表し、
【数１１０】
0005559423.tif 000188
は、前記トランスポートブロック（ＴＢ）ｘにおけるコードブロックｒに関するビットの数を表し、
【数１１１】
0005559423.tif 000189
は、前記トランスポートブロック（ＴＢ）ｘのために初期にスケジュールされた帯域幅を表し、サブキャリアの数として表され、
【数１１２】
0005559423.tif 000190
は、サブキャリアの単位において、現在の物理アップリンク共有チャネル（ＰＵＳＣＨ）のためにスケジュールされた帯域幅を表し、
【数１１３】
0005559423.tif 000191
は、初期のＰＵＳＣＨ送信に関するサブフレームにおけるシングルキャリア周波数分割多重化（ＳＣ−ＦＤＭ）シンボルの数を表し、
ここで、Ａ０およびＡ１は、
【数１１４】
0005559423.tif 000192
となるようにセットされる、
前記ＵＥによって送られた前記ＵＣＩとデータを回復するために、前記受信された送信を処理するための手段と；
を具備する装置。
【請求項４１】
前記受信された送信を前記処理するための手段は、
前記複数のレイヤの各々について、前記ＵＣＩおよびデータに関する多重化された変調シンボルを得るために、各シンボル期間において、前記受信された送信のための逆離散フーリエ変換（ＩＤＦＴ）を実行するための手段と、
前記複数のレイヤの各々について、前記ＵＣＩに関する変調シンボルと前記データに関する変調シンボルを得るために、前記多重化された変調シンボルを時分割逆多重化するための手段と、
を含む、請求項４０に記載の装置。
【請求項４２】
前記スペクトルリソースパラメータは、前記ユーザ機器（ＵＥ）と基地局との間の多入力多出力（ＭＩＭＯ）チャネルのスペクトル効率を含む、請求項４０に記載の装置。
【請求項４３】
前記スペクトルリソースパラメータは、前記複数のレイヤのすべてにわたる集約スペクトル効率を含む、請求項４０に記載の装置。
【請求項４４】
前記ＵＣＩは、チャネル品質インジケータ（ＣＱＩ）、肯定応答（ＡＣＫ）、ランクインジケータ（ＲＩ）およびこれらの組み合わせ、のうちの１つを含む、請求項４０に記載の装置。
【請求項４５】
前記複数のレイヤは、すべてのコードワードと関連づけられるすべてのレイヤを含む、請求項４０に記載の装置。
【請求項４６】
前記複数のレイヤは、すべてのコードワードのサブセットと関連づけられるすべてのレイヤを含み、ここにおいて、前記サブセットは、前記すべてのコードワードのうちの少なくとも１つを除外する、請求項４０に記載の装置。
【請求項４７】
無線通信のための装置であって、
データと多重化されたアップリンク制御情報（ＵＣＩ）に関する符号化された変調シンボルの数を含み、かつユーザ機器（ＵＥ）によってアップリンク上の複数のレイヤで送られた送信を受信し、ここにおいて、前記ＵＣＩに関する前記符号化された変調シンボルは、前記複数のレイヤの各々にわたって時間的に揃えられ、前記複数のレイヤの各々についての前記符号化された変調シンボルの前記数は、スペクトルリソースパラメータに基づき、
前記ＵＣＩに関する前記シンボルの数を前記決定することは、下記数式１３及び数式１４のいずれかに基づく、
数式１３
【数１１５】
0005559423.tif 000193
に基づいて、前記複数のレイヤの各々についての前記ＵＣＩに関する前記シンボルの数を決定することを含み、
ここで、
【数１１６】
0005559423.tif 000194
は、前記複数のレイヤの各々についての前記ＵＣＩに関するシンボルの数を表し、
【数１１７】
0005559423.tif 000195
は、ハイブリッド自動再送要求（ＨＡＲＱ）データ肯定応答（ＡＣＫ）ビットの数、またはランクインジケータ（ＲＩ;rank indicator）ビットの数を表し、
【数１１８】
0005559423.tif 000196
は、より高いレイヤにより構成されるオフセットを表し、
【数１１９】
0005559423.tif 000197
は、トランスポートブロック（ＴＢ）ｘに関するコードブロックの数を表し、
【数１２０】
0005559423.tif 000198
は、前記トランスポートブロック（ＴＢ）ｘにおけるコードブロックｒに関するビットの数を表し、
【数１２１】
0005559423.tif 000199
は、トランスポートブロックのために初期にスケジュールされた帯域幅を表し、サブキャリアの数として表され、
【数１２２】
0005559423.tif 000200
は、サブキャリアの単位において、現在の物理アップリンク共有チャネル（ＰＵＳＣＨ）のためにスケジュールされた帯域幅を表し、
【数１２３】
0005559423.tif 000201
は、初期のＰＵＳＣＨ送信に関するサブフレームにおけるシングルキャリア周波数分割多重化（ＳＣ−ＦＤＭ）シンボルの数を表す、あるいは、
数式１４
【数１２４】
0005559423.tif 000202
に基づいて、前記複数のレイヤの各々についての前記ＵＣＩに関する前記シンボルの数を決定することを含み、
ここで、
【数１２５】
0005559423.tif 000203
は、前記複数のレイヤの各々についての前記ＵＣＩに関するシンボルの数を表し、
【数１２６】
0005559423.tif 000204
は、ハイブリッド自動再送要求（ＨＡＲＱ）データ肯定応答（ＡＣＫ）ビットの数、またはランクインジケータ（ＲＩ）ビットの数を表し、
【数１２７】
0005559423.tif 000205
は、より高いレイヤにより構成されるオフセットを表し、
【数１２８】
0005559423.tif 000206
は、トランスポートブロック（ＴＢ）ｘに関するコードブロックの数を表し、
【数１２９】
0005559423.tif 000207
は、前記トランスポートブロック（ＴＢ）ｘにおけるコードブロックｒに関するビットの数を表し、
【数１３０】
0005559423.tif 000208
は、前記トランスポートブロック（ＴＢ）ｘのために初期にスケジュールされた帯域幅を表し、サブキャリアの数として表され、
【数１３１】
0005559423.tif 000209
は、サブキャリアの単位において、現在の物理アップリンク共有チャネル（ＰＵＳＣＨ）のためにスケジュールされた帯域幅を表し、
【数１３２】
0005559423.tif 000210
は、初期のＰＵＳＣＨ送信に関するサブフレームにおけるシングルキャリア周波数分割多重化（ＳＣ−ＦＤＭ）シンボルの数を表し、
ここで、Ａ０およびＡ１は、
【数１３３】
0005559423.tif 000211
となるようにセットされる、
前記ＵＥによって送られた前記ＵＣＩとデータを回復するために、前記受信された送信を処理する；
ように構成された少なくとも１つのプロセッサと、
前記少なくとも１つのプロセッサに結合されたメモリと、
を具備する装置。
【請求項４８】
前記スペクトルリソースパラメータは、前記ユーザ機器（ＵＥ）と基地局との間の多入力多出力（ＭＩＭＯ）チャネルのスペクトル効率を含む、請求項４７に記載の装置。
【請求項４９】
前記ＵＣＩは、チャネル品質インジケータ（ＣＱＩ）、肯定応答（ＡＣＫ）、ランクインジケータ（ＲＩ）およびこれらの組み合わせ、のうちの１つを含む、請求項４７に記載の装置。
【請求項５０】
コンピュータプログラムを記録したコンピュータ読取可能記憶媒体であって、
前記コンピュータ読取可能記憶媒体は、
少なくとも１つのコンピュータに、データと多重化されたアップリンク制御情報（ＵＣＩ）に関する符号化された変調シンボルの数を含み、かつユーザ機器（ＵＥ）によってアップリンク上の複数のレイヤで送られた送信を受信させるための命令と、ここにおいて、前記ＵＣＩに関する前記符号化された変調シンボルは、前記複数のレイヤの各々にわたって時間的に揃えられ、前記複数のレイヤの各々についての前記符号化された変調シンボルの前記数は、スペクトルリソースパラメータに基づき、
前記ＵＣＩに関する前記シンボルの数を前記決定することは、下記数式１５及び数式１６のいずれかに基づく、
数式１５
【数１３４】
0005559423.tif 000212
に基づいて、前記複数のレイヤの各々についての前記ＵＣＩに関する前記シンボルの数を決定することを含み、
ここで、
【数１３５】
0005559423.tif 000213
は、前記複数のレイヤの各々についての前記ＵＣＩに関するシンボルの数を表し、
【数１３６】
0005559423.tif 000214
は、ハイブリッド自動再送要求（ＨＡＲＱ）データ肯定応答（ＡＣＫ）ビットの数、またはランクインジケータ（ＲＩ;rank indicator）ビットの数を表し、
【数１３７】
0005559423.tif 000215
は、より高いレイヤにより構成されるオフセットを表し、
【数１３８】
0005559423.tif 000216
は、トランスポートブロック（ＴＢ）ｘに関するコードブロックの数を表し、
【数１３９】
0005559423.tif 000217
は、前記トランスポートブロック（ＴＢ）ｘにおけるコードブロックｒに関するビットの数を表し、
【数１４０】
0005559423.tif 000218
は、トランスポートブロックのために初期にスケジュールされた帯域幅を表し、サブキャリアの数として表され、
【数１４１】
0005559423.tif 000219
は、サブキャリアの単位において、現在の物理アップリンク共有チャネル（ＰＵＳＣＨ）のためにスケジュールされた帯域幅を表し、
【数１４２】
0005559423.tif 000220
は、初期のＰＵＳＣＨ送信に関するサブフレームにおけるシングルキャリア周波数分割多重化（ＳＣ−ＦＤＭ）シンボルの数を表す、あるいは、
数式１６
【数１４３】
0005559423.tif 000221
に基づいて、前記複数のレイヤの各々についての前記ＵＣＩに関する前記シンボルの数を決定することを含み、
ここで、
【数１４４】
0005559423.tif 000222
は、前記複数のレイヤの各々についての前記ＵＣＩに関するシンボルの数を表し、
【数１４５】
0005559423.tif 000223
は、ハイブリッド自動再送要求（ＨＡＲＱ）データ肯定応答（ＡＣＫ）ビットの数、またはランクインジケータ（ＲＩ）ビットの数を表し、
【数１４６】
0005559423.tif 000224
は、より高いレイヤにより構成されるオフセットを表し、
【数１４７】
0005559423.tif 000225
は、トランスポートブロック（ＴＢ）ｘに関するコードブロックの数を表し、
【数１４８】
0005559423.tif 000226
は、前記トランスポートブロック（ＴＢ）ｘにおけるコードブロックｒに関するビットの数を表し、
【数１４９】
0005559423.tif 000227
は、前記トランスポートブロック（ＴＢ）ｘのために初期にスケジュールされた帯域幅を表し、サブキャリアの数として表され、
【数１５０】
0005559423.tif 000228
は、サブキャリアの単位において、現在の物理アップリンク共有チャネル（ＰＵＳＣＨ）のためにスケジュールされた帯域幅を表し、
【数１５１】
0005559423.tif 000229
は、初期のＰＵＳＣＨ送信に関するサブフレームにおけるシングルキャリア周波数分割多重化（ＳＣ−ＦＤＭ）シンボルの数を表し、
ここで、Ａ０およびＡ１は、
【数１５２】
0005559423.tif 000230
となるようにセットされる、
前記少なくとも１つのコンピュータに、前記ＵＥによって送られた前記ＵＣＩとデータを回復するために、前記受信された送信を処理させるための命令と；
を具備する、コンピュータプログラムを記録したコンピュータ読取可能記憶媒体。
【請求項５１】
前記スペクトルリソースパラメータは、前記複数のレイヤのすべてにわたる集約スペクトル効率を含む、請求項５０に記載のコンピュータプログラムを記録したコンピュータ読取可能記憶媒体。
【請求項５２】
前記ＵＣＩは、チャネル品質インジケータ（ＣＱＩ）、肯定応答（ＡＣＫ）、ランクインジケータ（ＲＩ）およびこれらの組み合わせ、のうちの１つを含む、請求項５０に記載のコンピュータプログラムを記録したコンピュータ読取可能記憶媒体。
【発明の詳細な説明】
【技術分野】
【０００１】
［関連出願の相互参照］
本願は、２０１０年５月３日に出願された、「無線通信システムにおいて制御情報およびデータを多重化するための方法および装置（"METHOD AND APPARATUS FOR MULTIPLEXING CONTROL INFORMATION AND DATA IN A WIRELESS COMMUNICATION SYSTEM"）」と題された、米国仮特許出願第６１／３３０，８５２号、および２０１０年８月１６日に出願された、「無線送信における符号化された変調シンボルの数を計算するための方法および装置（"METHOD AND APPARATUS FOR CALCULATING NUMBER OF CODED MODULATION SYMBOLS IN A WIRELESS TRANSMISSION"）」と題された、米国仮特許出願第６１／３７４，１６９号からの優先権の利益を主張し、その各々は、本願明細書にその全体を参考として組み込まれる。
【背景技術】
【０００２】
I.  分野
以下の記述は、一般に無線通信に関し、さらに詳細には、無線通信における複数（multiple）のレイヤ上でデータと多重化されたアップリンク制御情報を送信することに関する。
【０００３】
II.関連する背景技術
無線通信システムは、音声、データ等のような、さまざまなタイプの通信コンテンツを提供するために幅広く展開されている。これらのシステムは、利用可能なシステムリソース（例えば、帯域幅および送信電力）を共用することによって、複数のユーザとの通信をサポートすることが可能な多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰ ロングタームエボリューション（ＬＴＥ）システム、および直交周波数分割多元接続（ＯＦＤＭＡ）システムを含む。
【０００４】
一般に、無線多元接続通信システムは、複数の無線端末の通信を同時にサポートできる。各端末は、順方向および逆方向のリンク上の送信を介して、１つまたは複数の基地局と通信する。順方向リンク（または、ダウンリンク）は、基地局から端末への通信リンクを指し、逆方向リンク（または、アップリンク）は、端末から基地局への通信リンクを指す。この通信リンクは、単一入力単一出力、多入力単一出力、または多入力多出力（ＭＩＭＯ）のシステムを介して確立されうる。
【０００５】
無線通信システムは、多くのユーザ機器（ＵＥｓ）のための通信をサポートしうる多くの基地局を含みうる。基地局は、複数の送信アンテナおよび／または受信アンテナを含みうる。各ＵＥは、複数の送信アンテナおよび／または受信アンテナを含みうる。これらＵＥｓは、アップリンク制御情報（ＵＣＩ）を物理アップリンク制御チャネル（ＰＵＣＣＨ）で送信しうる。しかしながら、ＵＣＩが、同時に発生する（concurrent）物理アップリンク共有チャネル（ＰＵＳＣＨ）送信があるときにフィードバックされる必要があり、またアップリンクのために単一のレイヤのみが存在する場合、ＵＣＩは、アップリンクにおいてシングルキャリア波形を維持するために、データと多重化されてＰＵＳＣＨで送られうる。
【０００６】
ＭＩＭＯシステムは、データ送信のために、複数（ＮＴ個）の送信アンテナと、複数（ＮＲ個）の受信アンテナとを用いる。ＮＴ個の送信アンテナとＮＲ個の受信アンテナとによって形成されるＭＩＭＯチャネルは、ＮＳ個の独立したチャネルに分解されることができ、それらはまた、空間チャネルと称され、ここで、ＮＳ≦ｍｉｎ｛ＮＴ，ＮＲ｝である。ＮＳ個の独立したチャネルの各々は、次元に対応する。ＭＩＭＯシステムは、複数の送信アンテナと受信アンテナとによって作り出される追加の次元が利用される場合、改善されたパフォーマンス（例えば、より高いスループットおよび／またはより大きな信頼性）を提供しうる。例えば、複数の空間レイヤは、所与の周波数−時間（frequency-time）リソース上で複数のデータストリームを伝達しうる。これらストリームは、個別のアンテナで独立して送信されうる。したがって、ＭＩＭＯシステムの改善されたパフォーマンスから利益を得るためには、アップリンク用の複数の空間レイヤが存在する場合、ＰＵＳＣＨでデータとＵＣＩを多重化する必要性がありうる。
【発明の概要】
【０００７】
以下は、そのような技術および実施形態の基本的な理解を提供するために、１つまたは複数の実施形態の簡略化された概要を示す。この概要は、考えられるすべての実施形態の広範な概観ではなく、すべての実施形態の重要要素や決定的要素を特定するようにも、何れかまたはすべての実施形態の範囲を定めるようにも意図されていない。その唯一の目的は、後に示されるより詳細な説明への前置きとして、簡略化された形式で１つまたは複数の実施形態のいくつかの概念を表すことである。
【０００８】
１つの態様では、無線通信のための方法が、アップリンク制御情報（ＵＣＩ）を決定することと、スペクトルリソースパラメータ(spectral resource parameter)に基づいて、複数のレイヤの各々についてのＵＣＩに関するシンボルの数を決定することと、ＵＣＩに関するシンボルが複数のレイヤの各々にわたって時間的に揃えられるように、複数のレイヤの各々でデータとＵＣＩに関するシンボルを多重化することと、アップリンク上の複数のレイヤでデータとＵＣＩに関する多重化されたシンボルを送ることとを含む。
【０００９】
別の態様では、無線通信のための装置が、アップリンク制御情報（ＵＣＩ）を決定するための手段と、スペクトルリソースパラメータに基づいて、複数のレイヤの各々についてのＵＣＩに関するシンボルの数を決定するための手段と、ＵＣＩに関するシンボルが複数のレイヤの各々にわたって時間的に揃えられるように、複数のレイヤの各々でデータとＵＣＩに関するシンボルを多重化するための手段と、アップリンク上の複数のレイヤでデータとＵＣＩに関する多重化されたシンボルを送るための手段とを含む。
【００１０】
なお別の態様では、少なくとも１つのプロセッサを含む無線通信のための装置が開示される。少なくとも１つのプロセッサは、アップリンク制御情報（ＵＣＩ）を決定し、スペクトルリソースパラメータに基づいて、複数のレイヤの各々についてのＵＣＩに関するシンボルの数を決定し、ＵＣＩに関するシンボルが複数のレイヤの各々にわたって時間的に揃えられるように、複数のレイヤの各々でデータとＵＣＩに関するシンボルを多重化し、アップリンク上の複数のレイヤでデータとＵＣＩに関する多重化されたシンボルを送るように構成される。この装置は、少なくとも１つのプロセッサに結合されたメモリをさらに含む。
【００１１】
なお別の態様では、コンピュータ実行可能命令を記憶する非一時的なコンピュータ読取可能媒体を備える、コンピュータプログラム製品が開示される。これら命令は、少なくとも１つのコンピュータに、アップリンク制御情報（ＵＣＩ）を決定させるための命令と、少なくとも１つのコンピュータに、スペクトルリソースパラメータに基づいて、複数のレイヤの各々についてのＵＣＩに関するシンボルの数を決定させるための命令と、少なくとも１つのコンピュータに、ＵＣＩに関するシンボルが複数のレイヤの各々にわたって時間的に揃えられるように、複数のレイヤの各々でデータとＵＣＩに関するシンボルを多重化させるための命令と、少なくとも１つのコンピュータに、アップリンク上の複数のレイヤでデータとＵＣＩに関する多重化されたシンボルを送らせるための命令とを含む。
【００１２】
なお別の態様では、無線通信のための方法が、アップリンク制御情報（ＵＣＩ）に関する符号化された変調シンボル(modulation symbol)が複数のレイヤの各々にわたって時間的に揃えられるように、データと多重化されたＵＣＩに関する符号化された変調シンボルの数を含み、かつユーザ機器（ＵＥ）によってアップリンク上の複数のレイヤで送られた送信を受信することと、なお、複数のレイヤの各々についての符号化された変調シンボルの数は、スペクトルリソースパラメータに基づき、ＵＥによって送られたＵＣＩとデータを回復する（recover）ために、受信された送信を処理することとを含む。
【００１３】
なお別の態様では、無線通信のための装置が、データと多重化されたアップリンク制御情報（ＵＣＩ）に関する符号化された変調シンボルの数を含み、かつユーザ機器（ＵＥ）によってアップリンク上の複数のレイヤで送られた送信を受信するための手段と、ここにおいて、ＵＣＩに関する符号化された変調シンボルは、複数のレイヤの各々にわたって時間的に揃えられ、複数のレイヤの各々についての符号化された変調シンボルの数は、スペクトルリソースパラメータに基づき、ＵＥによって送られたＵＣＩとデータを回復するために、受信された送信を処理するための手段とを含む。
【００１４】
なお別の態様では、少なくとも１つのプロセッサを含む無線通信のための装置が開示される。この少なくとも１つのプロセッサは、データと多重化されたアップリンク制御情報（ＵＣＩ）に関する符号化された変調シンボルの数を含み、かつユーザ機器（ＵＥ）によってアップリンク上の複数のレイヤで送られた送信を受信し、ここにおいて、ＵＣＩに関する符号化された変調シンボルは、複数のレイヤの各々にわたって時間的に揃えられ、複数のレイヤの各々についての符号化された変調シンボルの数は、スペクトルリソースパラメータに基づき、ＵＥによって送られたＵＣＩとデータを回復するために、受信された送信を処理するように構成される。
【００１５】
なお別の態様では、コンピュータ実行可能命令を記憶する非一時的なコンピュータ読取可能媒体を含むコンピュータプログラム製品が開示される。これら命令は、少なくとも１つのコンピュータに、データと多重化されたアップリンク制御情報（ＵＣＩ）に関する符号化された変調シンボルの数を含み、かつユーザ機器（ＵＥ）によってアップリンク上の複数のレイヤで送られた送信を受信させるための命令と、ここにおいて、ＵＣＩに関する符号化された変調シンボルは、複数のレイヤの各々にわたって時間的に揃えられ、複数のレイヤの各々についての符号化された変調シンボルの数は、スペクトルリソースパラメータに基づき、また、少なくとも１つのコンピュータに、ＵＥによって送られたＵＣＩとデータを回復するために、受信された送信を処理させるための命令とを含む。
【００１６】
前述した目的および関連する目的を達成するために、１つまたは複数の態様は、後に十分説明され、特許請求の範囲で特に指摘される特徴を含む。下記の説明および添付図面は、ある例示的な態様を詳細に説明し、これら態様の原理が適用されうるさまざまな方式のうちのほんの少数を示す。他の利点および新規な特徴は、図面とともに考慮された場合、下記の詳細な説明から明らかになるであろう。また、開示された態様は、すべてのそのような態様およびそれらの均等物を含むように意図される。
【００１７】
本開示の特徴、特性、および利点は、同様の参照符号が全体にわたって同一物とみなされる図面と共に考慮された場合、以下に記載する詳細な説明からより明らかになるであろう。
【図面の簡単な説明】
【００１８】
【図１】図１は、１つの実施形態による多元接続無線通信システムを例示する。
【図２】図２は、通信システムのブロック図を例示する。
【図３】図３は、無線通信システムにおける送信のための典型的なフレーム構造を例示する。
【図４】図４は、無線通信システムにおけるダウンリンク用の典型的なサブフレームフォーマットを例示する。
【図５】図５は、無線通信システムにおけるアップリンク用の典型的なサブフレームフォーマットを例示する。
【図６】図６は、無線通信システムにおける複数のレイヤにわたる典型的な制御およびデータの多重化を例示する。
【図７】図７は、無線通信のための処理のフローチャート表現である。
【図８】図８は、無線通信装置の一部のブロック図表現である。
【図９】図９は、無線通信のための処理のフローチャート表現である。
【図１０】図１０は、無線通信装置の一部のブロック図表現である。
【図１１】図１１は、無線通信システムにおける典型的な送信タイムラインのブロック図表現である。
【図１２】図１２は、無線通信のための処理のフローチャート表現である。
【図１３】図１３は、無線通信装置の一部のブロック表現である。
【図１４】図１４は、実施形態に従って、複数のレイヤにわたる制御およびデータの多重化を容易にする、典型的な電気的コンポーネントの結合の例示である。
【発明を実施するための形態】
【００１９】
さまざまな態様が、ここで図面を参照して説明される。以下の記述では、説明の目的のために、多くの具体的な詳細が、１つまたは複数の態様についての完全な理解を提供するために記載される。しかしながら、さまざまな態様は、これら特定の詳細なしで実現されうることが明らかである。他の事例では、これら態様の説明を容易にするために、周知の構造およびデバイスがブロック図形式で示されている。
【００２０】
ここに説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等のような、さまざまな無線通信ネットワークのために使用されうる。「ネットワーク」および「システム」という用語は、しばしば交換可能に使用される。ＣＤＭＡネットワークは、ユニバーサル地上無線アクセス（ＵＴＲＡ）、ｃｄｍａ２０００等のような無線技術をインプリメント（implement）しうる。ＵＴＲＡは、広帯域ＣＤＭＡ（Ｗ−ＣＤＭＡ）および低チップレート（ＬＣＲ）を含む。ｃｄｍａ２０００は、ＩＳ−２０００規格、ＩＳ−９５規格、およびＩＳ−８５６規格をカバーする。ＴＤＭＡネットワークは、グローバル移動体通信システム（ＧＳＭ）（登録商標）のような無線技術をインプリメントしうる。ＯＦＤＭＡネットワークは、発展型ＵＴＲＡ（Ｅ−ＵＴＲＡ）、ＩＥＥＥ ８０２．１１、ＩＥＥＥ ８０２．１６、ＩＥＥＥ ８０２．２０、フラッシュ−ＯＦＤＭ（登録商標）等のような無線技術をインプリメントしうる。ＵＴＲＡ、Ｅ−ＵＴＲＡ、およびＧＳＭは、ユニバーサル・モバイル・テレコミュニケーション・システム（ＵＭＴＳ）の一部である。ロングタームエボリューション（ＬＴＥ）は、Ｅ−ＵＴＲＡを用いるＵＭＴＳの最新のリリースである。ＵＴＲＡ、Ｅ−ＵＴＲＡ、ＧＳＭ、ＵＭＴＳおよびＬＴＥは、「第３世代パートナシップ計画」（３ＧＰＰ）と命名された組織からの文書に記述されている。
【００２１】
シングルキャリア周波数分割多元接続（ＳＣ−ＦＤＭＡ）は、シングルキャリア変調および周波数領域等化（frequency domain equalizaton)を利用する。ＳＣ−ＦＤＭＡ信号は、その固有のシングルキャリア構造により、より低いピーク対平均電力比（ＰＡＰＲ）を有する。ＳＣ−ＦＤＭＡは、送信電力効率の観点において、より低いＰＡＰＲがモバイル端末に大いに有益となるアップリンク通信において、特に大きな注目を集めた。それは、現在ＬＴＥにおけるアップリンク多元接続スキームのために使用されている。
【００２２】
明確化のために、下記の主題事項は、ＬＴＥで使用されるある信号およびメッセージフォーマットの特定の例に関して記述されていることに留意されたい。しかしながら、他の通信システムおよび他の信号送信／受信技術への開示される技術の適用性は、当業者によって理解されるであろう。
【００２３】
図１は、無線通信システム１００を示し、これは、ＬＴＥシステムあるいは何らかの他のシステムでありうる。システム１００は、多くの発展型ノードＢｓ（ｅＮＢｓ）１１０および他のネットワークエンティティを含みうる。ｅＮＢは、ＵＥｓと通信するエンティティであることができ、また、基地局、ノードＢ、アクセスポイント等と称されることができる。各ｅＮＢ １１０は、特定の地理的エリアのために通信カバレッジを提供することができ、このカバレッジエリア内に位置するユーザ機器（ＵＥｓ）のために通信をサポートできる。容量（capacity）を改善するために、ｅＮＢの全体的なカバレッジエリアは、複数（例えば、３つ）のより小さなエリアに分割されうる。各々のより小さなエリアは、それぞれのｅＮＢサブシステムによってサービスされうる。３ＧＰＰでは、「セル」という用語は、このカバレッジエリアをサービスするｅＮＢ １１０および／またはｅＮＢサブシステムのうちの最小のカバレッジエリアを称しうる。
【００２４】
ＵＥｓ １２０は、システム全体にわたって分布されることができ、各ＵＥ １２０は、固定式または移動式であることができる。ＵＥは、移動局、端末、アクセス端末、加入者ユニット、局等とも称されうる。ＵＥ １２０は、セルラ電話、携帯情報端末（ＰＤＡ）、無線モデム、無線通信デバイス、ハンドヘルドデバイス、ラップトップコンピュータ、コードレス電話、無線ローカルループ（ＷＬＬ）局、スマートフォン、ネットブック、スマートブック、タブレット等でありうる。
【００２５】
ＬＴＥは、ダウンリンクでは、直交周波数分割多重化（ＯＦＤＭ）を利用し、アップリンクでは、シングルキャリア周波数分割多重化（ＳＣ−ＦＤＭ）を利用する。ＯＦＤＭおよびＳＣ−ＦＤＭは、周波数範囲を複数（Ｋｓ個）の直交サブキャリアに分割し、これらはまた、一般に、トーン、ビン等と称される。各サブキャリアは、データを用いて変調されうる。一般に、変調シンボルは、ＯＦＤＭでは周波数領域で、およびＳＣ−ＦＤＭでは時間領域で送られる。隣接するサブキャリア間の間隔は、固定されることができ、サブキャリアの総数（Ｋｓ）は、システム帯域幅に依存することができる。例えば、Ｋｓは、１．４、３、５、１０または２０メガヘルツ（ＭＨｚ）のシステム帯域幅について、それぞれ１２８、２５６、５１２、１０２４または２０４８に等しくなりうる。システム帯域幅は、総数Ｋｓ個のサブキャリアのサブセットに対応しうる。
【００２６】
図２は、典型的な基地局／ｅＮＢ １１０およびＵＥ １２０のブロック図を示し、それは、図１の複数のｅＮＢのうちの１つおよび複数のＵＥのうちの１つでありうる。ＵＥ １２０は、Ｔ個のアンテナ１２３４ａ乃至１２３４ｔを装備されることができ、基地局１１０は、Ｒ個のアンテナ１２５２ａ乃至１２５２ｒを装備されることができ、ここで、一般に、Ｔ≧１およびＲ≧１である。
【００２７】
ＵＥ １２０では、送信プロセッサ１２２０が、データソース１２１２からのデータと、コントローラ／プロセッサ１２４０からの制御情報とを受信しうる。送信プロセッサ１２２０は、データおよび制御情報を処理する（例えば、符号化する、インタリーブする、およびシンボルマッピングする）ことができ、データシンボルおよび制御シンボルをそれぞれ提供することができる。送信プロセッサ１２２０はまた、ＵＥ １２０に割り当てられた１つまたは複数のＲＳシーケンスに基づいて、複数の不連続クラスタ（clusters）に関する１つまたは複数の復調リファレンス信号を生成することができ、リファレンスシンボルを提供することができる。送信（ＴＸ）多入力多出力（ＭＩＭＯ）プロセッサ１２３０は、適用可能な場合、送信プロセッサ１２２０からのデータシンボル、制御シンボル、および／またはリファレンスシンボルに対して、空間処理（例えば、プリコーディング（precoding））を実行することができ、Ｔ個の出力シンボルストリームをＴ個の変調器（ＭＯＤｓ）１２３２ａ乃至１２３２ｔに提供することができる。各変調器１２３２は、出力サンプルストリームを得るために、（例えば、ＳＣ−ＦＤＭＡ、ＯＦＤＭ等のための）それぞれの出力シンボルストリームを処理しうる。各変調器１２３２は、アップリンク信号を得るために、出力サンプルストリームをさらに処理する（例えば、アナログ変換する、増幅する、フィルタにかける、およびアップコンバートする）ことができる。変調器１２３２ａ乃至１２３２ｔからのＴ個のアップリンク信号は、それぞれＴ個のアンテナ１２３４ａ乃至１２３４ｔを介して送信されうる。
【００２８】
基地局１１０では、アンテナ１２５２ａ乃至１２５２ｒは、ＵＥ １２０からのアップリンク信号を受信して、受信された信号を、復調器（ＤＥＭＯＤｓ）１２５４ａ乃至１２５４ｒにそれぞれ提供しうる。各復調器１２５４は、受信されたサンプルを得るために、それぞれの受信された信号を調整する（例えば、フィルタにかける、増幅する、ダウンコンバートする、およびデジタル化する）ことができる。各復調器１２５４は、受信されたシンボルを得るために、これら受信されたサンプルをさらに処理しうる。チャネルプロセッサ／ＭＩＭＯ検出器１２５６は、Ｒ個の復調器１２５４ａ乃至１２５４ｒのすべてから受信されたシンボルを得ることができる。チャネルプロセッサ１２５６は、ＵＥ １２０から受信される復調リファレンス信号に基づいて、ＵＥ １２０から基地局１１０への無線チャネルに関するチャネル推定を導出しうる。ＭＩＭＯ検出器１２５６は、チャネル推定に基づいて、これら受信されたシンボルに対してＭＩＭＯ検出／復調を実行することができ、検出されたシンボルを提供することができる。受信プロセッサ１２５８は、これら検出されたシンボルを処理し（例えば、シンボルデマッピングする、デインタリーブする、および復号する）、復号されたデータをデータシンク１２６０に提供し、復号された制御情報をコントローラ／プロセッサ１２８０に提供しうる。
【００２９】
ダウンリンクでは、基地局１１０において、データソース１２６２からのデータおよびコントローラ／プロセッサ１２８０からの制御情報は、送信プロセッサ１２６４によって処理され、適用可能な場合には、ＴＸ ＭＩＭＯプロセッサ１２６６によってプリコーディングされ、変調器１２５４ａ乃至１２５４ｒによって調整され、ＵＥ １２０へ送信されうる。ＵＥ １２０において、基地局１１０からのダウンリンク信号は、アンテナ１２３４によって受信され、復調器１２３２によって調整され、チャネル推定器／ＭＩＭＯ検出器１２３６によって処理され、さらに、受信プロセッサ１２３８によって処理されて、ＵＥ １２０へ送られたデータおよび制御情報が得られる。プロセッサ１２３８は、復号されたデータをデータシンク１２３９に提供し、復号された制御情報をコントローラ／プロセッサ１２４０に提供しうる。
【００３０】
コントローラ／プロセッサ１２４０および１２８０は、それぞれＵＥ １２０および基地局１１０における動作を指示しうる。ＵＥ １２０におけるプロセッサ１２２０、プロセッサ１２４０、および／またはその他のプロセッサおよびモジュールは、図７の処理７００、図１２の処理１２００、および／または、本明細書に記載されている技術のためのその他の処理を実行または指示しうる。基地局１１０におけるプロセッサ１２５６、プロセッサ１２８０、および／またはその他のプロセッサおよびモジュールは、図９の処理９００、および／または、本明細書に記載されている技術のためのその他の処理を実行または指示しうる。メモリ１２４２および１２８２は、それぞれＵＥ １２０および基地局１１０ためのデータおよびプログラムコードを記憶しうる。スケジューラ１２８４は、ダウンリンクおよび／またはアップリンクの送信のためにＵＥｓをスケジュールすることができ、これらスケジュールされたＵＥｓのために、リソースの割り当て（例えば、複数の不連続クラスタの割り当て、復調リファレンス信号に関するＲＳシーケンス等）を提供することができる。
【００３１】
デジタル通信における進歩は、ＵＥ １２０上の複数の送信アンテナの使用をもたらした。例えば、ＬＴＥリリース１０では、シングルユーザ多入力多出力（ＳＵ−ＭＩＭＯ：single user multiple-in-multiple-out）モードが定義され、そこで、ＵＥ １２０は、ｅＮＢ １１０に最大２つまでのトランスポートブロック（ＴＢｓ;transport block）を送信しうる。ＴＢｓは、ときにコードワード（ＣＷｓ：codewords）とも呼ばれ、ただし、ときにＴＢｓからＣＷｓへのマッピングは、ＣＷｓのペアにマッピングされた２つのＴＢｓの交換などの、置換（permutation）を伴いうる。
【００３２】
アップリンク用の複数のレイヤが存在する場合、同時のＰＵＣＣＨおよびＰＵＳＣＨ送信が可能になりうるが、アップリンク用の複数の空間レイヤが存在する場合、いくつかの状況では、ＰＵＳＣＨでデータとＵＣＩを多重化することが依然として望ましくありうる。
【００３３】
以下の図６に説明されるように、ＬＴＥ Ｒｅｌ−１０ ＵＬ ＭＩＭＯ動作では、ＵＣＩメッセージが、１よりも大きいランク、即ち、１つより多くのレイヤ、のＰＵＳＣＨで多重化される場合、これらメッセージは、両方のコードワードのすべてのレイヤにわたって複製（replicate）され、また、これらメッセージは、これらＵＣＩシンボルがすべてのレイヤにわたって時間的に揃えられるように、データと時間領域多重化される。ＵＣＩは、ハイブリッド自動要求肯定応答（ＨＡＲＱ−ＡＣＫ）メッセージ、リソースインジケータ（ＲＩ）メッセージ、チャネル品質インジケータ（ＣＱＩ）、プリコーディング行列インジケータ（ＰＭＩ）、または一般にアップリンク制御に関する任意の情報、のうちの１つまたは複数を含みうる。ＬＴＥ Ｒｅｌ−１０ は、同時のＰＵＣＣＨおよびＰＵＳＣＨ送信を可能にし、ここで、ＵＣＩはＰＵＣＣＨにおいて送られることができ、並行して、データはＰＵＳＣＨで送信されることができるとはいえ、いくつかの状況では、同時のＰＵＣＣＨおよびＰＵＳＣＨ送信を回避するために、ＰＵＳＣＨ上でデータとＵＣＩを多重化することが望ましくありうる。例えば、ＵＥが制限されたパワーヘッドルーム（power headroom）を有している場合、あるいはＣＱＩなどの、要求されたＵＣＩが、非周期的である場合に、アップリンク用の複数のレイヤが存在するときには、ＰＵＳＣＨでデータとＵＣＩを多重化することが望ましくありうる。以下の図１１−１３に説明されるように、ＵＣＩのために使用される符号化された変調シンボルの数は、１つまたは複数のスペクトルリソースパラメータに基づいて決定されうる。
【００３４】
図３は、ＬＴＥにおける周波数分割二重通信（ＦＤＤ）のための典型的なフレーム構造３００を示す。他の設計では、フレーム構造は、ＬＴＥにおける時分割二重通信（ＴＤＤ）を含みうる。ダウンリンクおよびアップリンクの各々のための送信タイムラインは、無線フレームの単位に分割されうる。各無線フレームは、所定の持続時間（例えば、１０ミリ秒（ｍｓ））を有することができ、０乃至９のインデックスを持つ１０個のサブフレームに分割されることができる。各サブフレームは、２つのスロットを含みうる。したがって、各無線フレームは、０乃至１９のインデックスを持つ２０個のスロットを含みうる。各スロットは、例えば、（図２に示すように）通常のサイクリックプリフィックスに関して、７個のシンボル期間、または拡張されたサイクリックプリフィックスに関して、６個のシンボル期間のように、Ｌ個のシンボル期間を含みうる。各サブフレームにおける２Ｌ個のシンボル期間は、０乃至２Ｌ−１のインデックスを割り当てられうる。
【００３５】
ＬＴＥは、ダウンリンクではＯＦＤＭを利用し、アップリンクではＳＣ−ＦＤＭを利用する。ＯＦＤＭおよびＳＣ−ＦＤＭは、システム帯域幅を複数（ＮＦＦＴ個）の直交サブキャリアに分割し、これらはまた、一般に、トーン、ビン等と称される。各サブキャリアは、データを用いて変調されうる。一般に、変調シンボルは、ＯＦＤＭでは周波数領域で、またＳＣ−ＦＤＭでは時間領域で送信される。隣接するサブキャリア間の間隔は、固定されることができ、サブキャリアの総数（ＮＦＦＴ）は、システム帯域幅に依存することができる。例えば、ＮＦＦＴは、１．４、３、５、１０または２０メガヘルツ（ＭＨｚ）のシステム帯域幅について、それぞれ１２８、２５６、５１２、１０２４または２０４８に等しくなりうる。
【００３６】
ダウンリンクおよびアップリンクの各々のために利用可能な時間周波数リソースは、リソースブロックに分割されうる。各リソースブロックは、１つのスロットにおいて１２個のサブキャリアをカバーすることができ、多くのリソース要素を含むことができる。各リソース要素は、１つのシンボル期間において１つのサブキャリアをカバーすることができ、１つの変調シンボルを送るために使用されることができ、それは、実数値または複素数値であることができる。ダウンリンクでは、ＯＦＤＭシンボルは、サブフレームの各シンボル期間において送信されうる。アップリンクでは、ＳＣ−ＦＤＭＡシンボルは、サブフレームの各シンボル期間において送信されうる。
【００３７】
図４は、通常のサイクリックプリフィックスを備えた、ダウンリンク用の２つの典型的なサブフレームフォーマット４１０および４２０を示す。サブフレームフォーマット４１０は、２つのアンテナを装備した基地局のために使用されうる。セル固有のリファレンス信号（ＣＲＳ）は、シンボル期間０、４、７および１１において、アンテナ０および１から送信されうる。リファレンス信号は、送信機と受信機とによってアプリオリ（a priori）に知られている信号であり、パイロットとも称されうる。ＣＲＳは、セルにとって固有であるリファレンス信号であり、例えば、セル識別（ＩＤ）に基づいて生成される。図４では、Ｒａとラベル表示される所与のリソース要素について、変調シンボルは、アンテナａからそのリソース要素上で送信されることができ、また、何れの変調シンボルも、その他のアンテナからは、そのリソース要素上で送信されることができない。サブフレームフォーマット４２０は、４つのアンテナを装備した基地局のために使用されうる。ＣＲＳは、シンボル期間０、４、７および１１においては、アンテナ０および１から、また、シンボル期間１および８においては、アンテナ２および３から、送信されうる。両方のサブフレームフォーマット４１０および４２０について、ＣＲＳは、等しい間隔を置かれたサブキャリアで送信されることができ、それは、セルＩＤに基づいて決定されることができる。異なる基地局は、それらのセルＩＤｓに依存して、それらのＣＲＳｓを同じまたは異なるサブキャリアで送信しうる。両方のサブフレームフォーマット４１０および４２０について、ＣＲＳのために使用されないリソース要素は、データ（例えば、トラフィックデータ、制御データ、および／またはその他のデータ）を送信するために使用されうる。
【００３８】
両方のサブフレームフォーマット４１０および４２０について、サブフレームは、制御領域に続いてデータ領域を含みうる。制御領域は、サブフレームのうちの最初のＱ個のシンボル期間を含むことができ、ここで、Ｑは、１、２、３または４に等しくなることができる。Ｑは、サブフレーム毎に変化することができ、サブフレームの第１のシンボル期間において運ばれることができる。制御領域は、制御情報を搬送しうる。データ領域は、サブフレームのうちの残りの２Ｌ−Ｑ個のシンボル期間を含むことができ、ＵＥｓに関するデータおよび／またはその他の情報を搬送することができる。
【００３９】
基地局は、サブフレームの制御領域において、物理制御フォーマットインジケータチャネル（ＰＣＦＩＣＨ）、物理ハイブリッドＡＲＱインジケータチャネル（ＰＨＩＣＨ）、および物理ダウンリンク制御チャネル（ＰＤＣＣＨ）を送信しうる。ＰＣＦＩＣＨは、サブフレームの第１のシンボル期間において送信されることができ、制御領域のサイズ（Ｑ）を運ぶことができる。ＰＨＩＣＨは、ハイブリッド自動再送要求（ＨＡＲＱ;Ｈｙｂrid Automatic Repeat-Request）を用いてアップリンク上のＵＥｓによって送られるデータ送信に関する肯定応答（ＡＣＫ）および否定応答（ＮＡＣＫ）の情報を搬送しうる。ＰＤＣＣＨは、ＵＥｓに関するダウンリンク制御情報（ＤＣＩ）を搬送しうる。基地局はまた、サブフレームのデータ領域で、物理ダウンリンク共有チャネル（ＰＤＳＣＨ）を送信しうる。ＰＤＳＣＨは、個々のＵＥｓに関するユニキャストデータ、グループのＵＥｓに関するマルチキャストデータ、および／またはすべてのＵＥｓに関するブロードキャストデータを搬送しうる。
【００４０】
図５は、ＬＴＥにおけるアップリンク用の典型的なフォーマットを示す。アップリンクのために利用可能なリソースブロックは、データ領域と制御領域に分割されうる。制御領域は、システム帯域幅の２つの端部において形成されることができ、設定可能なサイズを有することができる。データ領域は、制御領域に含まれていないすべてのリソースブロックを含みうる。図５の設計は、結果的に連続するサブキャリアを含むデータ領域をもたらし、これは、単一のＵＥに、データ領域におけるすべての連続するサブキャリアが割り当てられることを可能にしうる。
【００４１】
ＵＥは、基地局に制御情報を送信するために、制御領域におけるリソースブロックを割り当てられうる。ＵＥはまた、基地局にトラフィックデータを送信するために、データ領域におけるリソースブロックを割り当てられうる。ＵＥは、制御情報を、制御領域において割り当てられたリソースブロック５１０ａおよび５１０ｂを使用して、ＰＵＣＣＨで送信しうる。ＵＥは、トラフィックデータのみ、または、トラフィックデータおよび制御情報の両方を、データ領域において割り当てられたリソースブロック５２０ａおよび５２０ｂを使用して、ＰＵＳＣＨで送信しうる。図５に示されるように、アップリンク送信は、サブフレームの両方のスロットにまたがることができ、周波数にわたってホップ（hop）することができる。
【００４２】
図６は、無線通信システムにおける複数のレイヤにわたる典型的な制御およびデータの多重化を例示する。図６は、複数のレイヤ、即ち、ランク−２ ＰＵＳＣＨ送信のためのレイヤ０ ６１０およびレイヤ１ ６２０、の上にマッピングされたデータと、ＣＱＩ、ＡＣＫ、またはＲＩのようなアップリンク制御情報（ＵＣＩ）を多重化することを例示する。レイヤ６１０、６２０の水平軸は、ＳＣ−ＦＤＭシンボルを表すことができ、一方で、レイヤ６１０、６２０の垂直軸は、各ＳＣ−ＦＤＭシンボルに関する時間領域変調されたシンボルを表すことができる。図６に例示されるように、ＵＣＩは、すべてのコードワードと関連づけられるすべてのレイヤ６１０、６２０にマッピングされることができ、各レイヤにマッピングされたＵＣＩは、各ＳＣ−ＦＤＭシンボルにおいて時間領域で揃えられる（time-domain aligned）ことができる。あるいは、または、それに加えて、ＵＣＩは、すべてのコードワードのサブセットと関連づけられるすべてのレイヤにマッピングされることができ、ここで、このサブセットは、これらコードワードのうちの少なくとも１つを除外する。ＵＣＩに関する符号化された変調シンボルは、離散フーリエ変換（ＤＦＴ）プリコーディングの前に、データと時分割多重化されうる。
【００４３】
図６において、ＵＣＩ情報、即ち、ＣＱＩ、ＡＣＫ、およびＲＩのシンボルは、レイヤ６１０、６２０の各々にわたって時間領域で揃えられる。したがって、ＵＣＩは、全空間チャネルを利用することが可能になりうる。異なるレイヤにわたる時間領域アラインメント（alignment）は、リーズナブル（reasonable）なインプリメンテーションの複雑さとともに、制御情報の最適に近い復号化を可能にする。さらに、ＵＣＩの復号化は、データの復号化に依存せず、よって、復号化レイテンシは、最小限になりうる。したがって、ＰＵＳＣＨでデータとＵＣＩを多重化する場合、これら時間領域変調シンボルは、全空間チャネル（complete spatial channel）を経験している１つの有効な変調シンボルとして、同じ時間位置において、異なる空間レイヤから、ＤＦＴプリコーディングの前に考慮され、これは、ＵＣＩにロバストネス（robustness）を提供しうる。
【００４４】
図６は、多重化されたＵＣＩおよびデータのコンテキストにおいて、リファレンスシンボル（ＲＳ）をさらに例示する。例えば、ＡＣＫシンボルは、ＲＳに隣接して配置されうる。図６に例示されるように、１つの例では、ＡＣＫシンボルは、各レイヤ内では揃えられていないことがありうる、しかしながら、レイヤ１はレイヤ０をミラー（mirrors）しているので、ＡＣＫシンボルは、レイヤ６１０、６２０にわたって揃えられている。
【００４５】
各々のレイヤ内のＵＣＩに関する符号化されたシンボルの総数は、ＭＩＭＯチャネルの全体的なスペクトル効率に従って決定されうる。例えば、ランクＲのＳＵ−ＭＩＭＯ送信について、コードワード０が、ＭＣＳでスケジュールされ：
【数１】
0005559423.tif 000002
【００４６】
コードワード１が、変調符号化スキーム（ＭＣＳ）でスケジュールされる：
【数２】
0005559423.tif 000003
【００４７】
と仮定した場合には、ＵＣＩに関する符号化されたシンボルの総数：
【数３】
0005559423.tif 000004
【００４８】
は、全体的なスペクトル効率：
【数４】
0005559423.tif 000005
【００４９】
から決定されるべきであり、ここで、Ｒ０は、コードワード０がマッピングされているレイヤの数を示し、Ｒ１は、コードワード１がマッピングされているレイヤの数を示し、関数
【数５】
0005559423.tif 000006
【００５０】
は、特定のＭＣＳのスペクトル効率を表し、なお、Ｒ＝Ｒ０＋Ｒ１である。各々のレイヤ内のＵＣＩに関する符号化されたシンボルの数を決定するステップは、以下の図１１−１３でさらに説明される。
【００５１】
図７は、無線通信方法（methodology）７００のフローチャート表現である。ボックス７０２では、ＣＱＩ／ＰＭＩ、ＨＡＲＱ−ＡＣＫ、ＲＩ、または一般にアップリンク制御に関する任意の情報などの、ＵＣＩが決定される。ボックス７０４では、複数のレイヤの各々についてのＵＣＩに関するシンボルの数が決定される。例えば、以下の図１１−１３でさらに説明されるように、ＵＣＩに関するシンボルの数は、ＵＥと基地局との間のＭＩＭＯチャネルのスペクトル効率、および／またはすべてのレイヤにわたる集約（aggregate）スペクトル効率などの、スペクトルリソースパラメータに基づきうる。ボックス７０６では、ＵＣＩに関するシンボルは、ＵＣＩに関するシンボルが複数のレイヤの各々にわたって時間的に揃えられるように、複数のレイヤの各々でデータと多重化される。ＵＣＩは、すべてのコードワードと関連づけられるすべてのレイヤにマッピングされることができ、各レイヤにマッピングされたＵＣＩは、各ＳＣ−ＦＤＭシンボルにおいて時間領域で揃えられることができる。例えば、ＵＣＩに関するシンボルは、各ＳＣ−ＦＤＭ／ＯＦＤＭシンボル期間においてのように、各シンボル期間において、複数のレイヤの各々上の少なくとも１つのシンボル位置の同じセットにマッピングされうる。ＵＣＩに関する符号化された変調シンボルはまた、ＤＦＴプリコーディングの前に、データと時分割多重化されうる。例えば、ＵＣＩに関するシンボルは、複数のレイヤの各々で、データに関する変調シンボルと時分割多重化されることができ、その後、ＤＦＴは、各ＳＣ−ＦＤＭ／ＯＦＤＭシンボル期間においてのように、各シンボル期間において、複数のレイヤの各々について、ＵＣＩおよびデータに関する多重化された変調シンボルに対して実行されることができる。ブロック７０８では、複数のレイヤの各々でのデータとＵＣＩに関する多重化されたシンボルは、アップリンクで送信されうる。
【００５２】
図８は、無線通信装置８００の一部のブロック図表現である。モジュール８０２は、ＣＱＩ／ＰＭＩ、ＨＡＲＱ−ＡＣＫ、ＲＩ、または一般にアップリンク制御に関する任意の情報などの、ＵＣＩのために提供される。モジュール８０４は、複数の空間レイヤの各々についてのＵＣＩに関するシンボルの数を決定するために提供される。例えば、図１１−１３に説明されるように、ＵＣＩに関するシンボルの数は、スペクトルリソースパラメータに基づきうる。モジュール８０６は、ＵＣＩに関するシンボルが複数のレイヤの各々にわたって時間的に揃えられるように、複数のレイヤの各々で、データとＵＣＩに関するシンボルを多重化するために提供される。モジュール８０８は、データとＵＣＩに関する多重化されたシンボルを、アップリンク上の複数のレイヤで送るために提供される。通信装置８００、モジュール８０２およびモジュール８０４は、ここに説明されるその他の機能および特徴をインプリメントするようにさらに構成されうる。
【００５３】
図９は、無線通信方法９００のフローチャート表現である。ボックス９０２では、データと多重化されたＵＣＩに関する符号化された変調シンボルの数を備える送信が受信される。例えば、データと多重化されたＵＣＩは、すべてのコードワードと関連づけられるすべてのレイヤで、あるいはすべてのコードワードのサブセットと関連づけられるすべてのレイヤでのように、ＵＥによってアップリンク上の複数のレイヤで送られうる。以下の図１１−１３にさらに説明されるように、ＵＣＩに関する符号化された変調シンボルは、複数のレイヤの各々にわたって時間的に揃えられることができ、複数のレイヤの各々についての符号化された変調シンボルの数は、ＵＥと基地局との間のＭＩＭＯチャネルのスペクトル効率、および／またはすべてのレイヤにわたる集約スペクトル効率(aggregate spectral efficiency)などの、スペクトルリソースパラメータに基づくことができる。ボックス９０４では、受信された送信は、ＵＥによって送られたＵＣＩとデータを回復するために処理される。例えば、逆離散フーリエ変換（ＩＤＦＴ）が、複数のレイヤの各々について、ＵＣＩおよびデータに関する多重化された変調シンボルを得るために、各シンボル期間において、受信された送信のために実行されうる。多重化された変調シンボルは、その後、複数のレイヤの各々について、ＵＣＩに関する変調シンボルとデータに関する変調シンボルを得るために、時分割逆多重化されうる。
【００５４】
図１０は、無線通信装置１０００の一部のブロック図表現である。モジュール１００２は、データと多重化されたＵＣＩに関する符号化された変調シンボルの数を備える送信を受信するためのものである。例えば、データと多重化されたＵＣＩは、ＵＥによって、アップリンク上の複数の空間レイヤで送られうる。ＵＣＩに関する符号化された変調シンボルは、複数のレイヤの各々にわたって時間的に揃えられることができ、複数のレイヤの各々についての符号化された変調シンボルの数は、スペクトルリソースパラメータに基づくことができる。モジュール１００４は、ＵＥによって送られたＵＣＩとデータを回復するために、受信された送信を処理するためのものである。
【００５５】
図１１は、水平軸１１００上の送信の典型的なタイムラインのブロック図表現であり、線形に増加する時間を表している。前述したように、複数のレイヤの各々についてのＵＣＩに関する符号化された変調シンボルの数は、１つまたは複数のスペクトル効率パラメータに基づいて決定されうる。例えば、シングルベータ値の場合、ＨＡＲＱ−ＡＣＫ／ＲＩに関する各レイヤおよび各ＣＷについてのＵＣＩシンボルの数は、下記のように決定されうる：
【数６】
0005559423.tif 000007
【００５６】
表１は、式（１）で使用されるさまざまなパラメータをリストする。
【表１】
0005559423.tif 000008
【００５７】
式（１）では、初期のＰＵＳＣＨ送信パラメータは、固定されたブロック誤り率（ＢＬＥＲ）を目標とする初期の送信スペクトル効率として使用されることができ、これは、オフセット
【数７】
0005559423.tif 000009
【００５８】
を考慮した後、ＵＣＩ情報に関するよく制御されたＢＬＥＲの達成をもたらすことができる。
【００５９】
しかしながら、符号化された変調シンボル数
【数８】
0005559423.tif 000010
【００６０】
の計算の正確さは、あるシナリオでは改善されうる。例えば、ｅＮｏｄｅＢ １１０からのＵＬ許可が、同時に２つのトランスポートブロックの新しい送信をスケジュールする場合、式（１）に示されるＨＡＲＱ−ＡＣＫまたはＲＩに関する各レイヤおよび各ＣＷについてのＵＣＩシンボルの数を計算するための数式は、２つのＴＢｓが、それらの対応する初期の許可において同じ送信帯域幅を有するので、正確に機能（works）する。しかしながら、以下にさらに説明されるように、１つのＵＬ許可が、それらの初期の許可が同期（synchronous）していない２つのＴＢｓをスケジュールすることが可能であり、この場合、
【数９】
0005559423.tif 000011
【００６１】
の計算は、改善されうる。
【００６２】
例えば、時間ｔ１では、送信１１０２、１１０４は、ＰＤＣＣＨを使用して、トランスポートブロックＴＢ０およびＴＢ１のためにスケジュールされうる。一般性を失わずに、時間ｔ１における送信は、１０個のリソースブロック（ＲＢｓ）を要すると仮定される。あるシナリオでは、時間ｔ２において、送信は、チャネルにおける変化により繰り返されうる（ブロック１１０６、１１０８）。例えば、ＰＨＩＣＨは、ＴＢ０およびＴＢ１の両方のために、非適応型（non-adaptive）再送信をトリガーしうる。例えば、送信１１０６、１１０８はまた、それらの初期の帯域幅として、１０個のＲＢｓを有するであろう。しかしながら、時間ｔ３においてＨＡＲＱ−ＡＣＫがＰＵＳＣＨと多重化されるとき、初期の送信帯域幅は、２つのスケジュールされたＴＢｓ １１１０および１１１４のために異なる（例えば、ＴＢ１のためには、６個のＲＢｓ、一方で、ＴＢ２のためには、依然として１０個のＲＢｓ）。
【００６３】
あるいは、時間ｔ３におけるＴＢ０およびＴＢ１の帯域幅の計算は、サウンディングリファレンス信号（ＳＲＳ）が時間ｔ１において送信される場合に異なることができ、その場合、２つのＴＢｓの初期の送信に関する利用可能なデータＳＣ−ＦＤＭシンボルの数は、（シンボルが時間ｔ１においてＳＲＳのために使用されるので、）時間ｔ３において異なるという結果になる。したがって、式（１）の列挙子（enumerator）における変数
【数１０】
0005559423.tif 000012
【００６４】
は、トランスポートブロックの初期の送信と再送信とのために、異なりうる。
【００６５】
したがって、２つのＴＢｓのための初期のアップリンク（ＵＬ）許可が、同じ時間においてスケジュールされていない場合、式（１）でのパラメータ
【数１１】
0005559423.tif 000013
【００６６】
および
【数１２】
0005559423.tif 000014
【００６７】
をどのように選択するかのガイダンスが必要となりうる。
【００６８】
例えば、下記の変形された数式は、ＨＡＲＱ−ＡＣＫ／ＲＩに関する各レイヤおよび各ＣＷについてのＵＣＩシンボルの数を決定するために、式（１）にとって代わりうる：
【数１３】
0005559423.tif 000015
【００６９】
式（２）では、
【数１４】
0005559423.tif 000016
【００７０】
は、ＴＢｘ（ｘ＝０，１）のための初期の許可におけるスケジュールされた帯域幅を表し、
【数１５】
0005559423.tif 000017
【００７１】
は、ＴＢｘのための初期のＰＵＳＣＨ送信に関するサブフレーム当たりのＳＣ−ＦＤＭＡシンボルの数を表す。
【００７２】
理解されうるように、式（２）の分母は、各々のスケジュールされたＴＢｓについて別々に、個々の初期の許可からすべての空間レイヤにわたる集約スペクトル効率を計算するように試みる。
【００７３】
式（２）は、２つのＴＢｓがそれらの初期の送信のために同時にスケジュールされていた場合、式（１）に再び戻る（falls back）ことが理解されうる。
【００７４】
式（２）は、下記のように対等に書き換えられうることがさらに理解されうる：
【数１６】
0005559423.tif 000018
【数１７】
0005559423.tif 000019
【００７５】
オペレーションの間、ＵＥｓ １２０は、時折、ＵＬ許可を受信および使用しそこない（miss）うる。したがって、ｅＮＢ １１０は、ＨＡＲＱ−ＡＣＫまたはＲＩの送信に関する符号化された変調シンボルの数を推定するとき、ＵＥ １２０による許可の見逃し（miss）を含む、再送信の可能性がある複数の理由を考慮しなくてはならないことがありうる。ＵＥ １２０への再送信の可能性があるさまざまなシナリオを考慮するときにｅＮＢ １１０でテストされる仮説の量を低減させるために、以下の低減された計算論的複雑性アプローチ（reduced computational approaches）が取られうる：
【表２】
0005559423.tif 000020
【００７６】
注記：
【数１８】
0005559423.tif 000021
【００７７】
は、ＴＢ０およびＴＢ１の初期にスケジュールされた送信に基づいて計算される第１および第２のスペクトルリソースパラメータを表す。
【００７８】
さらに、各レイヤについてのＣＱＩに関する符号化された変調シンボルの数は、下記によって決定されうる：
【数１９】
0005559423.tif 000022
【００７９】
ＣＱＩ情報は、データ送信のために使用されるすべてのＴＢｓよりも少ない数のＴＢで多重化されうる。例えば、ＣＱＩは、データ送信のために使用されるＴＢｓのうちの１つの、すべてのレイヤ上で多重化されうる。しかしながら、この場合でさえも、このシステムは、ＵＣＩシンボルが、その上にＵＣＩシンボルがマッピングされるすべてのレイヤにわたって時間的に揃えられることを確実にしうる。
【００８０】
図１２は、無線通信の処理のフローチャート１２００である。ボックス１２０２では、第１のスペクトルリソースパラメータが、第１のトランスポートブロックのために初期にスケジュールされたスペクトル割り当てに基づいて計算されうる。ボックス１２０４では、第２のスペクトルリソースパラメータが、第２のトランスポートブロックのために初期にスケジュールされたスペクトル割り当てに基づいて計算されうる。ボックス１２０６では、上述された式（２）の使用を通じてのように、複数のレイヤの各々についてのＵＣＩに関する、符号化された変調シンボルのようなシンボルの数が、第１および第２のスペクトルリソースパラメータを使用して決定される。決定された数の符号化された変調シンボルは、複数のレイヤの各々にマッピングされうる。例えば、オペレーション１２０６において、符号化された変調シンボルの数がｘであると決定された場合、ｘ個の符号化された変調シンボルが、複数のレイヤの各々にマッピングされうる。
【００８１】
図１３は、第１のトランスポートブロックのために初期にスケジュールされたスペクトル割り当てに基づいて、第１のスペクトルリソースパラメータを計算するためのモジュール１３０２と、第２のトランスポートブロックのために初期にスケジュールされたスペクトル割り当てに基づいて、第２のスペクトルリソースパラメータを計算するためのモジュール１３０４と、上述された式（２）の使用を通じてのように、複数のレイヤの各々についてのＵＣＩに関する、符号化された変調シンボルのようなシンボルの数を、第１および第２のスペクトルリソースパラメータを使用して決定するためのモジュール１３０６と、を備える無線通信装置のブロック図表現である。該数の符号化された変調シンボルは、複数のレイヤの各々にマッピングされうる。例えば、モジュール１３０６が、ＵＣＩに関してｘ個の符号化された変調シンボルがあるべきだと決定した場合には、ＵＣＩに関するｘ個の符号化された変調シンボルが、複数のレイヤの各々にマッピングされうる。
【００８２】
次に、図１４を参照すると、実施形態に従って、複数のレイヤにわたる制御およびデータの多重化を容易にするシステム１４００が例示される。システム１４００は、プロセッサ、ソフトウェア、またはこれらの組み合わせ（例えば、ファームウェア）によってインプリメントされる機能を表しうる機能ブロックを含み、なお、システム１４００は、連携して動作しうる電気的コンポーネントの論理グループ１４０２を含む。例示されるように、論理グループ１４０２は、ＵＣＩを決定するための電気的コンポーネント１４１０のみならず、複数のレイヤの各々についてのＵＣＩに関するシンボルの数を決定するための電気的コンポーネントも含みうる。例えば、ＵＣＩに関するシンボルの数は、スペクトルリソースパラメータに基づきうる。論理グループ１４０２はまた、ＵＣＩに関するシンボルが複数のレイヤの各々にわたって時間的に揃えられるように、各レイヤ上でデータとＵＣＩに関するシンボルを多重化するための電気的コンポーネントを含みうる。さらに、論理グループ１４０２は、データとＵＣＩに関する多重化されたシンボルを、アップリンク上の複数のレイヤで送信するための電気的コンポーネントを含みうる。加えて、システム１４００は、電気的コンポーネント１４１０、１４１２、１４１４、および１４１６に関連付けられた機能を実行するための命令を保持するメモリ１４２０を含むことができ、ここで、任意の電気的コンポーネント１４１０、１４１２、１４１４、および１４１６は、メモリ１４２０内部またはメモリ１４２０外部のいずれかに存在することができる。
【００８３】
開示された処理におけるステップの具体的な順序または階層は、典型的なアプローチの例であることが理解される。設計の選択に基づいて、これら処理におけるステップの具体的な順序または階層は、本開示の範囲内にとどまりながら再構成されうることが理解される。付随の方法の請求項は、サンプルの順序において、さまざまなステップの要素を示し、また、示された具体的な順序または階層に限定されるようには意図されない。
【００８４】
当業者であれば、情報および信号は、さまざまな異なる技術および技法のうちの何れを用いて表されうることを理解するであろう。例えば、上記説明の全体にわたって参照されうるデータ、命令、コマンド、情報、信号、ビット、シンボル、およびチップは、電圧、電流、電磁波、磁場または磁性粒子、光場または光粒子、あるいはこれらの任意の組み合わせによって表されうる。
【００８５】
「典型的（"exemplary"）」という用語は、ここで、「例、実例、および例示を提供する」という意味で用いられる。ここで「典型的」であると説明される任意の態様または設計は、他の態様または設計に対して、必ずしも好ましいまたは有利であるようには解釈されない。
【００８６】
当業者は、ここに開示された実施形態に関連して説明されたさまざまな例示的な論理ブロック、モジュール、回路、およびアルゴリズムステップが、電子ハードウェア、コンピュータソフトウェア、あるいは両方の組み合わせとしてインプリメントされうることをさらに理解するであろう。ハードウェアおよびソフトウェアのこの互換性を明確に例示するために、さまざまな例示的なコンポーネント、ブロック、モジュール、回路、およびステップが、一般的にそれらの機能の観点から、上に説明された。このような機能が、ハードウェアとしてインプリメントされるか、あるいはソフトウェアとしてインプリメントされるかは、特定のアプリケーションおよびシステム全体に課せられる設計制約に依存する。当業者は、各々の特定のアプリケーションに関して、多様な方法で説明された機能をインプリメントすることができるが、このようなインプリメンテーションの決定は、本開示の範囲からの逸脱を引き起こしていると解釈されるべきでない。
【００８７】
ここに開示された実施形態に関連して説明されたさまざまな例示的な、論理ブロック、モジュールおよび回路（例えば、識別子（identifiers）、割り当て器（assigners）、送信機、およびアロケータ（allocators））は、汎用プロセッサ、デジタル信号プロセッサ（ＤＳＰ）、特定用途向け集積回路（ＡＳＩＣ）、フィールド・プグラマブル・ゲート・アレイ（ＦＰＧＡ）あるいは他のプログラマブル論理デバイス、ディスクリートゲートあるいはトランジスタロジック、ディスクリートハードウェアコンポーネント、またはここに説明された機能を実行するように設計されたこれらの任意の組み合わせを用いて、インプリメントまたは実行されうる。汎用プロセッサは、マイクロプロセッサでありうるが、代替案では、このプロセッサは、任意の従来型のプロセッサ、コントローラ、マイクロコントローラ、またはステートマシン（state machine）でありうる。プロセッサはまた、例えば、ＤＳＰとマイクロプロセッサの組み合わせ、複数のマイクロプロセッサ、ＤＳＰのコアと連携した１つまたは複数のマイクロプロセッサ、あるいはその他任意のこのような構成である計算デバイスの組み合わせとしてインプリメントされうる。
【００８８】
１つまたは複数の典型的な実施形態では、説明された機能は、ハードウェア、ソフトウェア、ファームウェア、あるいはこれらの任意の組み合わせでインプリメントされうる。ソフトウェアでインプリメントされる場合、これらの機能は、コンピュータ読取可能媒体上に、１つまたは複数の命令またはコードとして記憶されるか、あるいは１つまたは複数の命令またはコードとして符号化されうる。コンピュータ読取可能媒体は、コンピュータ記憶媒体を含む。記憶媒体は、コンピュータによってアクセスされうる任意の利用可能な媒体でありうる。限定ではなく例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形式で所望のプログラムコードを記憶または搬送するために使用可能であり、かつコンピュータによってアクセスされうるその他任意の媒体を備えうる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組み合わせもまた、コンピュータ読取可能媒体の範囲内に含まれるべきである。
【００８９】
開示された実施形態の上記説明は、いかなる当業者であっても、本開示を製造または使用できるように提供される。これらの実施形態に対するさまざまな変形例は、当業者にとって容易に明らかであって、ここで定義された一般的な原理は、本開示の主旨または範囲から逸脱することなく、他の実施形態に適用されうる。したがって、本開示は、ここに示された実施形態に制限されるようには意図されず、ここに開示される原理および新規な特徴と一致する最も広い範囲を与えられることとなる。
なお、以下に、出願当初の特許請求の範囲に記載された発明を付記する。
［Ｃ１］無線通信のための方法であって、
アップリンク制御情報（ＵＣＩ）を決定することと、
スペクトルリソースパラメータに基づいて、複数のレイヤの各々についての前記ＵＣＩに関するシンボルの数を決定することと、
前記ＵＣＩに関する前記シンボルが前記複数のレイヤの各々にわたって時間的に揃えられるように、前記複数のレイヤの各々でデータと前記ＵＣＩに関するシンボルを多重化することと、
アップリンク上の前記複数のレイヤで前記データと前記ＵＣＩに関する前記多重化されたシンボルを送ることと、
を具備する方法。
［Ｃ２］前記複数のレイヤの各々でデータと前記ＵＣＩに関する前記シンボルを前記多重化することは、
前記複数のレイヤの各々で、前記ＵＣＩに関する前記シンボルを、前記データに関する変調シンボルと時分割多重化することと、
各シンボル期間において、前記複数のレイヤの各々のために、前記ＵＣＩおよびデータに関する前記多重化された変調シンボルに対して、離散フーリエ変換（ＤＦＴ）を実行することと、
を含む、Ｃ１に記載の方法。
［Ｃ３］各シンボル期間は、シングルキャリア周波数分割多重化（ＳＣ−ＦＤＭ）／直交周波数分割多重化（ＯＦＤＭ）のシンボル期間を含む、Ｃ２に記載の方法。
［Ｃ４］前記複数のレイヤの各々でデータと前記ＵＣＩに関する前記シンボルを前記多重化することは、前記ＵＣＩに関する前記シンボルを、各シンボル期間における前記複数のレイヤの各々上の少なくとも１つのシンボル位置の同じセットにマッピングすることを含む、Ｃ１に記載の方法。
［Ｃ５］前記スペクトルリソースパラメータは、ユーザ機器（ＵＥ）と基地局との間の多入力多出力（ＭＩＭＯ）チャネルのスペクトル効率を含む、Ｃ１に記載の方法。
［Ｃ６］前記スペクトルリソースパラメータは、前記複数のレイヤのすべてにわたる集約スペクトル効率を含む、Ｃ１に記載の方法。
［Ｃ７］前記スペクトルリソースパラメータに基づいて、前記複数のレイヤの各々についての前記ＵＣＩに関する前記シンボルの数を前記決定することは、
第１のスペクトルリソースパラメータを、第１のトランスポートブロックのために初期にスケジュールされたスペクトル割り当てに基づいて計算することと、
第２のスペクトルリソースパラメータを、第２のトランスポートブロックのために初期にスケジュールされたスペクトル割り当てに基づいて計算することと、
前記第１および前記第２のスペクトルリソースパラメータを使用して、前記複数のレイヤの各々についての前記ＵＣＩに関する前記シンボル数を決定することと、
を含む、Ｃ１に記載の方法。
［Ｃ８］前記ＵＣＩに関する前記シンボルは、符号化された変調シンボルを含む、Ｃ７に記載の方法。
［Ｃ９］前記スペクトルリソースパラメータに基づいて、前記複数のレイヤの各々についての前記ＵＣＩに関する前記シンボルの数を前記決定することは、
【数２０】
0005559423.tif 000023
に基づいて、前記複数のレイヤの各々についての前記ＵＣＩに関する前記シンボルの数を決定することを含み、
ここで、
【数２１】
0005559423.tif 000024
は、前記複数のレイヤの各々についての前記ＵＣＩに関するシンボルの数を表し、
【数２２】
0005559423.tif 000025
は、ハイブリッド自動再送要求（ＨＡＲＱ）データ肯定応答（ＡＣＫ）ビットの数、またはランクインジケータ（ＲＩ;rank indicator）ビットの数を表し、
【数２３】
0005559423.tif 000026
は、より高いレイヤにより構成されるオフセットを表し、
【数２４】
0005559423.tif 000027
は、トランスポートブロック（ＴＢ）ｘに関するコードブロックの数を表し、
【数２５】
0005559423.tif 000028
は、前記トランスポートブロック（ＴＢ）ｘにおけるコードブロックｒに関するビットの数を表し、
【数２６】
0005559423.tif 000029
は、トランスポートブロックのために初期にスケジュールされた帯域幅を表し、サブキャリアの数として表され、
【数２７】
0005559423.tif 000030
は、サブキャリアの単位において、現在の物理アップリンク共有チャネル（ＰＵＳＣＨ）のためにスケジュールされた帯域幅を表し、
【数２８】
0005559423.tif 000031
は、初期のＰＵＳＣＨ送信に関するサブフレームにおけるシングルキャリア周波数分割多重化（ＳＣ−ＦＤＭ）シンボルの数を表す、
Ｃ１に記載の方法。
［Ｃ１０］前記ＵＣＩは、チャネル品質インジケータ（ＣＱＩ）、肯定応答（ＡＣＫ）、ランクインジケータ（ＲＩ）およびこれらの組み合わせ、のうちの１つを含む、Ｃ１に記載の方法。
［Ｃ１１］前記複数のレイヤは、すべてのコードワードと関連づけられるすべてのレイヤを含む、Ｃ１に記載の方法。
［Ｃ１２］前記複数のレイヤは、すべてのコードワードのサブセットと関連づけられるすべてのレイヤを含み、ここにおいて、前記すべてのコードワードのサブセットは、前記コードワードのうちの少なくとも１つを除外する、Ｃ１に記載の方法。
［Ｃ１３］前記スペクトルリソースパラメータに基づいて、前記複数のレイヤの各々についての前記ＵＣＩに関する前記シンボルの数を前記決定することは、
【数２９】
0005559423.tif 000032
に基づいて、前記複数のレイヤの各々についての前記ＵＣＩに関する前記シンボルの数を決定することを含み、
ここで、
【数３０】
0005559423.tif 000033
は、前記複数のレイヤの各々についての前記ＵＣＩに関するシンボルの数を表し、
【数３１】
0005559423.tif 000034
は、ハイブリッド自動再送要求（ＨＡＲＱ）データ肯定応答（ＡＣＫ）ビットの数、またはランクインジケータ（ＲＩ）ビットの数を表し、
【数３２】
0005559423.tif 000035
は、より高いレイヤにより構成されるオフセットを表し、
【数３３】
0005559423.tif 000036
は、トランスポートブロック（ＴＢ）ｘに関するコードブロックの数を表し、
【数３４】
0005559423.tif 000037
は、前記トランスポートブロック（ＴＢ）ｘにおけるコードブロックｒに関するビットの数を表し、
【数３５】
0005559423.tif 000038
は、前記トランスポートブロック（ＴＢ）ｘのために初期にスケジュールされた帯域幅を表し、サブキャリアの数として表され、
【数３６】
0005559423.tif 000039
は、サブキャリアの単位において、現在の物理アップリンク共有チャネル（ＰＵＳＣＨ）のためにスケジュールされた帯域幅を表し、
【数３７】
0005559423.tif 000040
は、初期のＰＵＳＣＨ送信に関するサブフレームにおけるシングルキャリア周波数分割多重化（ＳＣ−ＦＤＭ）シンボルの数を表し、
ここで、Ａ０およびＡ１は、
【数３８】
0005559423.tif 000041
となるようにセットされる、Ｃ１に記載の方法。
［Ｃ１４］無線通信のための装置であって、
アップリンク制御情報（ＵＣＩ）を決定するための手段と、
スペクトルリソースパラメータに基づいて、複数のレイヤの各々についての前記ＵＣＩに関するシンボルの数を決定するための手段と、
前記ＵＣＩに関する前記シンボルが前記複数のレイヤの各々にわたって時間的に揃えられるように、前記複数のレイヤの各々でデータと前記ＵＣＩに関するシンボルを多重化するための手段と、
アップリンク上の前記複数のレイヤで前記データと前記ＵＣＩに関する前記多重化されたシンボルを送るための手段と、
を具備する装置。
［Ｃ１５］前記複数のレイヤの各々でデータと前記ＵＣＩに関する前記シンボルを前記多重化するための手段は、
前記複数のレイヤの各々で、前記ＵＣＩに関する前記シンボルを、前記データに関する変調シンボルと時分割多重化するための手段と、
各シンボル期間において、前記複数のレイヤの各々のために、前記ＵＣＩおよびデータに関する前記多重化された変調シンボルに対して、離散フーリエ変換（ＤＦＴ）を実行するための手段と、
を含む、Ｃ１４に記載の装置。
［Ｃ１６］各シンボル期間は、シングルキャリア周波数分割多重化（ＳＣ−ＦＤＭ）／直交周波数分割多重化（ＯＦＤＭ）のシンボル期間を含む、Ｃ１５に記載の装置。
［Ｃ１７］前記複数のレイヤの各々でデータと前記ＵＣＩに関する前記シンボルを前記多重化するための手段は、前記ＵＣＩに関する前記シンボルを、各シンボル期間における前記複数のレイヤの各々上の少なくとも１つのシンボル位置の同じセットにマッピングするための手段を含む、Ｃ１４に記載の装置。
［Ｃ１８］前記スペクトルリソースパラメータは、ユーザ機器（ＵＥ）と基地局との間の多入力多出力（ＭＩＭＯ）チャネルのスペクトル効率を含む、Ｃ１４に記載の装置。
［Ｃ１９］前記スペクトルリソースパラメータは、前記複数のレイヤのすべてにわたる集約スペクトル効率を含む、Ｃ１４に記載の装置。
［Ｃ２０］前記スペクトルリソースパラメータに基づいて、前記複数のレイヤの各々についての前記ＵＣＩに関する前記シンボルの数を前記決定するための手段は、
第１のスペクトルリソースパラメータを、第１のトランスポートブロックのために初期にスケジュールされたスペクトル割り当てに基づいて計算するための手段と、
第２のスペクトルリソースパラメータを、第２のトランスポートブロックのために初期にスケジュールされたスペクトル割り当てに基づいて計算するための手段と、
前記第１および前記第２のスペクトルリソースパラメータを使用して、前記複数のレイヤの各々についての前記ＵＣＩに関する前記シンボル数を決定するための手段と、
を含む、Ｃ１４に記載の装置。
［Ｃ２１］前記ＵＣＩに関する前記シンボルは、符号化された変調シンボルを含む、Ｃ２０に記載の装置。
［Ｃ２２］前記スペクトルリソースパラメータに基づいて、前記複数のレイヤの各々についての前記ＵＣＩに関する前記シンボルの数を前記決定するための手段は、
【数３９】
0005559423.tif 000042
に基づいて、前記複数のレイヤの各々についての前記ＵＣＩに関する前記シンボルの数を決定するための手段を含み、
ここで、
【数４０】
0005559423.tif 000043
は、前記複数のレイヤの各々についての前記ＵＣＩに関するシンボルの数を表し、
【数４１】
0005559423.tif 000044
は、ハイブリッド自動再送要求（ＨＡＲＱ）データ肯定応答（ＡＣＫ）ビットの数、またはランクインジケータ（ＲＩ）ビットの数を表し、
【数４２】
0005559423.tif 000045
は、より高いレイヤにより構成されるオフセットを表し、
【数４３】
0005559423.tif 000046
は、トランスポートブロック（ＴＢ）ｘに関するコードブロックの数を表し、
【数４４】
0005559423.tif 000047
は、前記トランスポートブロック（ＴＢ）ｘにおけるコードブロックｒに関するビットの数を表し、
【数４５】
0005559423.tif 000048
は、トランスポートブロックのために初期にスケジュールされた帯域幅を表し、サブキャリアの数として表され、
【数４６】
0005559423.tif 000049
は、サブキャリアの単位において、現在の物理アップリンク共有チャネル（ＰＵＳＣＨ）のためにスケジュールされた帯域幅を表し、
【数４７】
0005559423.tif 000050
は、初期のＰＵＳＣＨ送信に関するサブフレームにおけるシングルキャリア周波数分割多重化（ＳＣ−ＦＤＭ）シンボルの数を表す、
Ｃ１４に記載の装置。
［Ｃ２３］前記ＵＣＩは、チャネル品質インジケータ（ＣＱＩ）、肯定応答（ＡＣＫ）、ランクインジケータ（ＲＩ）およびこれらの組み合わせ、のうちの１つを含む、Ｃ１４に記載の装置。
［Ｃ２４］前記複数のレイヤは、すべてのコードワードと関連づけられるすべてのレイヤを含む、Ｃ１４に記載の装置。
［Ｃ２５］前記複数のレイヤは、すべてのコードワードのサブセットと関連づけられるすべてのレイヤを含み、ここにおいて、前記すべてのコードワードのサブセットは、前記コードワードのうちの少なくとも１つを除外する、Ｃ１４に記載の装置。
［Ｃ２６］前記スペクトルリソースパラメータに基づいて、前記複数のレイヤの各々についての前記ＵＣＩに関する前記シンボルの数を前記決定するための手段は、
【数４８】
0005559423.tif 000051
に基づいて、前記複数のレイヤの各々についての前記ＵＣＩに関する前記シンボルの数を決定するための手段を含み、
ここで、
【数４９】
0005559423.tif 000052
は、前記複数のレイヤの各々についての前記ＵＣＩに関するシンボルの数を表し、
【数５０】
0005559423.tif 000053
は、ハイブリッド自動再送要求（ＨＡＲＱ）データ肯定応答（ＡＣＫ）ビットの数、またはランクインジケータ（ＲＩ）ビットの数を表し、
【数５１】
0005559423.tif 000054
は、より高いレイヤにより構成されるオフセットを表し、
【数５２】
0005559423.tif 000055
は、トランスポートブロック（ＴＢ）ｘに関するコードブロックの数を表し、
【数５３】
0005559423.tif 000056
は、前記トランスポートブロック（ＴＢ）ｘにおけるコードブロックｒに関するビットの数を表し、
【数５４】
0005559423.tif 000057
は、前記トランスポートブロック（ＴＢ）ｘのために初期にスケジュールされた帯域幅を表し、サブキャリアの数として表され、
【数５５】
0005559423.tif 000058
は、サブキャリアの単位において、現在の物理アップリンク共有チャネル（ＰＵＳＣＨ）のためにスケジュールされた帯域幅を表し、
【数５６】
0005559423.tif 000059
は、初期のＰＵＳＣＨ送信に関するサブフレームにおけるシングルキャリア周波数分割多重化（ＳＣ−ＦＤＭ）シンボルの数を表し、
ここで、Ａ０およびＡ１は、
【数５７】
0005559423.tif 000060
となるようにセットされる、Ｃ１４に記載の装置。
［Ｃ２７］無線通信のための装置であって、
アップリンク制御情報（ＵＣＩ）を決定し、
スペクトルリソースパラメータに基づいて、複数のレイヤの各々についての前記ＵＣＩに関するシンボルの数を決定し、
前記ＵＣＩに関する前記シンボルが前記複数のレイヤの各々にわたって時間的に揃えられるように、前記複数のレイヤの各々でデータと前記ＵＣＩに関するシンボルを多重化し、
アップリンク上の前記複数のレイヤで前記データと前記ＵＣＩに関する前記多重化されたシンボルを送る、
ように構成された少なくとも１つのプロセッサと、
前記少なくとも１つのプロセッサに結合されたメモリと、
を備える装置。
［Ｃ２８］前記スペクトルリソースパラメータは、ユーザ機器（ＵＥ）と基地局との間の多入力多出力（ＭＩＭＯ）チャネルのスペクトル効率を含む、Ｃ２７に記載の装置。
［Ｃ２９］前記スペクトルリソースパラメータは、前記複数のレイヤのすべてにわたる集約スペクトル効率を含む、Ｃ２７に記載の装置。
［Ｃ３０］前記少なくとも１つのプロセッサは、
第１のスペクトルリソースパラメータを、第１のトランスポートブロックのために初期にスケジュールされたスペクトル割り当てに基づいて計算し、
第２のスペクトルリソースパラメータを、第２のトランスポートブロックのために初期にスケジュールされたスペクトル割り当てに基づいて計算し、
前記第１および前記第２のスペクトルリソースパラメータを使用して、前記複数のレイヤの各々についての前記ＵＣＩに関する前記シンボル数を決定する、
ようにさらに構成される、Ｃ２７に記載の装置。
［Ｃ３１］前記ＵＣＩに関する前記シンボルは、符号化された変調シンボルを含む、Ｃ３０に記載の装置。
［Ｃ３２］前記少なくとも１つのプロセッサは、
【数５８】
0005559423.tif 000061
に基づいて、前記複数のレイヤの各々についての前記ＵＣＩに関する前記シンボルの数を決定するようにさらに構成され、
ここで、
【数５９】
0005559423.tif 000062
は、前記複数のレイヤの各々についての前記ＵＣＩに関するシンボルの数を表し、
【数６０】
0005559423.tif 000063
は、ハイブリッド自動再送要求（ＨＡＲＱ）データ肯定応答（ＡＣＫ）ビットの数、またはランクインジケータ（ＲＩ）ビットの数を表し、
【数６１】
0005559423.tif 000064
は、より高いレイヤにより構成されるオフセットを表し、
【数６２】
0005559423.tif 000065
は、トランスポートブロック（ＴＢ）ｘに関するコードブロックの数を表し、
【数６３】
0005559423.tif 000066
は、前記トランスポートブロック（ＴＢ）ｘにおけるコードブロックｒに関するビットの数を表し、
【数６４】
0005559423.tif 000067
は、トランスポートブロックのために初期にスケジュールされた帯域幅を表し、サブキャリアの数として表され、
【数６５】
0005559423.tif 000068
は、サブキャリアの単位において、現在の物理アップリンク共有チャネル（ＰＵＳＣＨ）のためにスケジュールされた帯域幅を表し、
【数６６】
0005559423.tif 000069
は、初期のＰＵＳＣＨ送信に関するサブフレームにおけるシングルキャリア周波数分割多重化（ＳＣ−ＦＤＭ）シンボルの数を表す、
Ｃ２７に記載の装置。
［Ｃ３３］前記ＵＣＩは、チャネル品質インジケータ（ＣＱＩ）、肯定応答（ＡＣＫ）、ランクインジケータ（ＲＩ）およびこれらの組み合わせ、のうちの１つを含む、Ｃ２７に記載の装置。
［Ｃ３４］コンピュータ読取可能記憶媒体を備えるコンピュータプログラム製品であって、
前記コンピュータ読取可能記憶媒体は、
少なくとも１つのコンピュータに、アップリンク制御情報（ＵＣＩ）を決定させるための命令と、
前記少なくとも１つのコンピュータに、スペクトルリソースパラメータに基づいて、複数のレイヤの各々についての前記ＵＣＩに関するシンボルの数を決定させるための命令と、
前記少なくとも１つのコンピュータに、前記ＵＣＩに関する前記シンボルが前記複数のレイヤの各々にわたって時間的に揃えられるように、前記複数のレイヤの各々でデータと前記ＵＣＩに関するシンボルを多重化させるための命令と、
前記少なくとも１つのコンピュータに、アップリンク上の前記複数のレイヤで前記データと前記ＵＣＩに関する前記多重化されたシンボルを送らせるための命令と、
を具備する、コンピュータプログラム製品。
［Ｃ３５］前記少なくとも１つのコンピュータに、前記スペクトルリソースパラメータに基づいて、前記複数のレイヤの各々についての前記ＵＣＩに関する前記シンボルの数を決定させるための前記命令は、
前記少なくとも１つのコンピュータに、第１のスペクトルリソースパラメータを、第１のトランスポートブロックのために初期にスケジュールされたスペクトル割り当てに基づいて計算させるための命令と、
前記少なくとも１つのコンピュータに、第２のスペクトルリソースパラメータを、第２のトランスポートブロックのために初期にスケジュールされたスペクトル割り当てに基づいて計算させるための命令と、
前記少なくとも１つのコンピュータに、前記第１および前記第２のスペクトルリソースパラメータを使用して、前記複数のレイヤの各々についての前記ＵＣＩに関する前記シンボル数を決定させるための命令と、
を含む、Ｃ３４に記載のコンピュータプログラム製品。
［Ｃ３６］前記ＵＣＩに関する前記シンボルは、符号化された変調シンボルを含む、Ｃ３５に記載のコンピュータプログラム製品。
［Ｃ３７］前記少なくとも１つのコンピュータに、前記スペクトルリソースパラメータに基づいて、前記複数のレイヤの各々についての前記ＵＣＩに関する前記シンボルの数を前記決定させるための命令は、
前記少なくとも１つのコンピュータに、
【数６７】
0005559423.tif 000070
に基づいて、前記複数のレイヤの各々についての前記ＵＣＩに関する前記シンボルの数を決定させるための命令を含み、
ここで、
【数６８】
0005559423.tif 000071
は、前記複数のレイヤの各々についての前記ＵＣＩに関するシンボルの数を表し、
【数６９】
0005559423.tif 000072
は、ハイブリッド自動再送要求（ＨＡＲＱ）データ肯定応答（ＡＣＫ）ビットの数、またはランクインジケータ（ＲＩ）ビットの数を表し、
【数７０】
0005559423.tif 000073
は、より高いレイヤにより構成されるオフセットを表し、
【数７１】
0005559423.tif 000074
は、トランスポートブロック（ＴＢ）ｘに関するコードブロックの数を表し、
【数７２】
0005559423.tif 000075
は、前記トランスポートブロック（ＴＢ）ｘにおけるコードブロックｒに関するビットの数を表し、
【数７３】
0005559423.tif 000076
は、トランスポートブロックのために初期にスケジュールされた帯域幅を表し、サブキャリアの数として表され、
【数７４】
0005559423.tif 000077
は、サブキャリアの単位において、現在の物理アップリンク共有チャネル（ＰＵＳＣＨ）のためにスケジュールされた帯域幅を表し、
【数７５】
0005559423.tif 000078
は、初期のＰＵＳＣＨ送信に関するサブフレームにおけるシングルキャリア周波数分割多重化（ＳＣ−ＦＤＭ）シンボルの数を表す、
Ｃ３４に記載のコンピュータプログラム製品。
［Ｃ３８］前記ＵＣＩは、チャネル品質インジケータ（ＣＱＩ）、肯定応答（ＡＣＫ）、ランクインジケータ（ＲＩ）およびこれらの組み合わせ、のうちの１つを含む、Ｃ３４に記載のコンピュータプログラム製品。
［Ｃ３９］無線通信のための方法であって、
アップリンク制御情報（ＵＣＩ）に関する符号化された変調シンボルが複数のレイヤの各々にわたって時間的に揃えられるように、データと多重化された前記ＵＣＩに関する前記符号化された変調シンボルの数を含み、かつユーザ機器（ＵＥ）によってアップリンク上の前記複数のレイヤで送られた送信を受信することと、なお、前記複数のレイヤの各々についての前記符号化された変調シンボルの前記数は、スペクトルリソースパラメータに基づく；
前記ＵＥによって送られた前記ＵＣＩとデータを回復するために、前記受信された送信を処理することと；
を具備する方法。
［Ｃ４０］前記受信された送信を前記処理することは、
前記複数のレイヤの各々について、前記ＵＣＩおよびデータに関する多重化された変調シンボルを得るために、各シンボル期間において、前記受信された送信のための逆離散フーリエ変換（ＩＤＦＴ）を実行することと、
前記複数のレイヤの各々について、前記ＵＣＩに関する変調シンボルと前記データに関する変調シンボルを得るために、前記多重化された変調シンボルを時分割逆多重化することと、
を含む、Ｃ３９に記載の方法。
［Ｃ４１］前記スペクトルリソースパラメータは、ユーザ機器（ＵＥ）と基地局との間の多入力多出力（ＭＩＭＯ）チャネルのスペクトル効率を含む、Ｃ３９に記載の方法。
［Ｃ４２］前記スペクトルリソースパラメータは、前記複数のレイヤのすべてにわたる集約スペクトル効率を含む、Ｃ３９に記載の方法。
［Ｃ４３］前記ＵＣＩは、チャネル品質インジケータ（ＣＱＩ）、肯定応答（ＡＣＫ）、ランクインジケータ（ＲＩ）およびこれらの組み合わせ、のうちの１つを含む、Ｃ３９に記載の方法。
［Ｃ４４］前記複数のレイヤは、すべてのコードワードと関連づけられるすべてのレイヤを含む、Ｃ３９に記載の方法。
［Ｃ４５］前記複数のレイヤは、すべてのコードワードのサブセットと関連づけられるすべてのレイヤを含み、ここにおいて、前記すべてのコードワードのサブセットは、前記コードワードのうちの少なくとも１つを除外する、Ｃ３９に記載の方法。
［Ｃ４６］無線通信のための装置であって、
データと多重化されたアップリンク制御情報（ＵＣＩ）に関する符号化された変調シンボルの数を含み、かつユーザ機器（ＵＥ）によってアップリンク上の複数のレイヤで送られた送信を受信するための手段と、ここにおいて、前記ＵＣＩに関する前記符号化された変調シンボルは、前記複数のレイヤの各々にわたって時間的に揃えられ、前記複数のレイヤの各々についての前記符号化された変調シンボルの前記数は、スペクトルリソースパラメータに基づく；
前記ＵＥによって送られた前記ＵＣＩとデータを回復するために、前記受信された送信を処理するための手段と；
を具備する装置。
［Ｃ４７］前記受信された送信を前記処理するための手段は、
前記複数のレイヤの各々について、前記ＵＣＩおよびデータに関する多重化された変調シンボルを得るために、各シンボル期間において、前記受信された送信のための逆離散フーリエ変換（ＩＤＦＴ）を実行するための手段と、
前記複数のレイヤの各々について、前記ＵＣＩに関する変調シンボルと前記データに関する変調シンボルを得るために、前記多重化された変調シンボルを時分割逆多重化するための手段と、
を含む、Ｃ４６に記載の装置。
［Ｃ４８］前記スペクトルリソースパラメータは、前記ユーザ機器（ＵＥ）と基地局との間の多入力多出力（ＭＩＭＯ）チャネルのスペクトル効率を含む、Ｃ４６に記載の装置。
［Ｃ４９］前記スペクトルリソースパラメータは、前記複数のレイヤのすべてにわたる集約スペクトル効率を含む、Ｃ４６に記載の装置。
［Ｃ５０］前記ＵＣＩは、チャネル品質インジケータ（ＣＱＩ）、肯定応答（ＡＣＫ）、ランクインジケータ（ＲＩ）およびこれらの組み合わせ、のうちの１つを含む、Ｃ４６に記載の装置。
［Ｃ５１］前記複数のレイヤは、すべてのコードワードと関連づけられるすべてのレイヤを含む、Ｃ４６に記載の装置。
［Ｃ５２］前記複数のレイヤは、すべてのコードワードのサブセットと関連づけられるすべてのレイヤを含み、ここにおいて、前記すべてのコードワードのサブセットは、前記コードワードのうちの少なくとも１つを除外する、Ｃ４６に記載の装置。
［Ｃ５３］無線通信のための装置であって、
データと多重化されたアップリンク制御情報（ＵＣＩ）に関する符号化された変調シンボルの数を含み、かつユーザ機器（ＵＥ）によってアップリンク上の複数のレイヤで送られた送信を受信し、ここにおいて、前記ＵＣＩに関する前記符号化された変調シンボルは、前記複数のレイヤの各々にわたって時間的に揃えられ、前記複数のレイヤの各々についての前記符号化された変調シンボルの前記数は、スペクトルリソースパラメータに基づく；
前記ＵＥによって送られた前記ＵＣＩとデータを回復するために、前記受信された送信を処理する；
ように構成された少なくとも１つのプロセッサと、
前記少なくとも１つのプロセッサに結合されたメモリと、
を具備する装置。
［Ｃ５４］前記スペクトルリソースパラメータは、前記ユーザ機器（ＵＥ）と基地局との間の多入力多出力（ＭＩＭＯ）チャネルのスペクトル効率を含む、Ｃ５３に記載の装置。
［Ｃ５５］前記ＵＣＩは、チャネル品質インジケータ（ＣＱＩ）、肯定応答（ＡＣＫ）、ランクインジケータ（ＲＩ）およびこれらの組み合わせ、のうちの１つを含む、Ｃ５３に記載の装置。
［Ｃ５６］コンピュータ読取可能記憶媒体を備えるコンピュータプログラム製品であって、
前記コンピュータ読取可能記憶媒体は、
少なくとも１つのコンピュータに、データと多重化されたアップリンク制御情報（ＵＣＩ）に関する符号化された変調シンボルの数を含み、かつユーザ機器（ＵＥ）によってアップリンク上の複数のレイヤで送られた送信を受信させるための命令と、ここにおいて、前記ＵＣＩに関する前記符号化された変調シンボルは、前記複数のレイヤの各々にわたって時間的に揃えられ、前記複数のレイヤの各々についての前記符号化された変調シンボルの前記数は、スペクトルリソースパラメータに基づく；
前記少なくとも１つのコンピュータに、前記ＵＥによって送られた前記ＵＣＩとデータを回復するために、前記受信された送信を処理させるための命令と；
を具備する、コンピュータプログラム製品。
［Ｃ５７］前記スペクトルリソースパラメータは、前記複数のレイヤのすべてにわたる集約スペクトル効率を含む、Ｃ５６に記載のコンピュータプログラム製品。
［Ｃ５８］前記ＵＣＩは、チャネル品質インジケータ（ＣＱＩ）、肯定応答（ＡＣＫ）、ランクインジケータ（ＲＩ）およびこれらの組み合わせ、のうちの１つを含む、Ｃ５６に記載のコンピュータプログラム製品。
【図１】
0005559423.tif 000231
【図２】
0005559423.tif 000232
【図３】
0005559423.tif 000233
【図４】
0005559423.tif 000234
【図５】
0005559423.tif 000235
【図６】
0005559423.tif 000236
【図７】
0005559423.tif 000237
【図８】
0005559423.tif 000238
【図９】
0005559423.tif 000239
【図１０】
0005559423.tif 000240
【図１１】
0005559423.tif 000241
【図１２】
0005559423.tif 000242
【図１３】
0005559423.tif 000243
【図１４】
0005559423.tif 000244